(57)【特許請求の範囲】
【請求項１】
基地局（ＢＳ）による、共有無線周波数スペクトル（ＳＲＦＳ）帯域上のワイヤレス通信のための方法であって、
無線フレーム期間の少なくとも一部分の間、前記ＳＲＦＳ帯域への競合に勝つことと、ここにおいて、前記無線フレーム期間が複数のサブフレーム期間を備える、
前記無線フレーム期間の第１のサブフレーム期間中に第１の送信電力で第１の信号を送信することと、
前記無線フレーム期間の第２のサブフレーム期間中に第２の送信電力で第２の信号を送信することと、
前記無線フレーム期間に関して決定された電力レベルに少なくとも部分的に基づいて、前記第１の送信電力および前記第２の送信電力の第１の制御を行うこと、ここにおいて、前記第２の送信電力の前記第１の制御は、前記第２の送信電力を前記決定された電力レベルに等しくなるように制御することを備える、と、
前記第２の送信電力の前記第１の制御を行うための第２の制御を行うこと、ここにおいて、前記第２の制御を行うことは、前記無線フレーム期間のダウンリンクサブフレーム中でダウンリンク信号と前記ダウンリンクサブフレームを補足する追加の信号とを送信すること、前記第２の送信電力が前記第１の送信電力または前記決定された電力レベルよりも高いまたは低い場合、前記無線フレーム期間の前記ダウンリンクサブフレーム中の送信持続時間をそれぞれ前記サブフレーム期間より長くまたはより短くするように調整すること、前記無線フレーム期間の前記ダウンリンクサブフレーム中で送信される信号を前記第１の送信電力または前記決定された電力レベルに一致するように電力増加させること、または前記第２の送信電力が前記第１の送信電力または前記決定された電力レベルよりも低い場合、前記無線フレーム期間の前記ダウンリンクサブフレーム中での送信のために割り当てられるリソースブロック（ＲＢ）の数を増加させるように調整することのうちの少なくとも１つを備え、前記第２の制御は、スケジュールされた限られた数の物理リソースブロックをもつダウンリンクサブフレームのための制御である、と
を備える、方法。
【請求項２】
前記ＳＲＦＳ帯域が無認可無線周波数スペクトル（ＵＲＦＳ）帯域を備える、請求項１に記載の方法。
【請求項３】
前記第１の送信電力および前記第２の送信電力が同じ送信電力レベルである、請求項１に記載の方法。
【請求項４】
前記第１の期間中に送信される前記第１の信号がダウンリンクチャネル使用ビーコン信号（ＤＬ−ＣＵＢＳ）を備える、請求項１に記載の方法。
【請求項５】
ユーザ機器（ＵＥ）による、共有無線周波数スペクトル（ＳＲＦＳ）帯域上のワイヤレス通信のための方法であって、
無線フレーム期間の少なくとも一部分の間、前記ＳＲＦＳ帯域への競合に勝つことと、ここにおいて、前記無線フレーム期間が複数のサブフレーム期間を備える、
前記無線フレーム期間の第１のサブフレーム期間中に第１の送信電力で第１の信号を送信することと、
前記無線フレーム期間の第２のサブフレーム期間中に第２の送信電力で第２の信号を送信することと、ここにおいて、前記第１の送信電力および前記第２の送信電力が、前記無線フレーム期間に関して決定された前記ＵＥのアップリンク送信電力レベルに少なくとも部分的に基づいて制御され、前記無線フレーム期間に関する前記ＵＥの前記アップリンク送信電力レベルが、前記ＵＥによって測定された、１つまたは複数のネイバリングセルの第１の経路損失と、サービング基地局によって測定された、前記１つまたは複数のネイバリングセルの第２の経路損失とに少なくとも部分的に基づいて決定される、
を備える、方法。
【請求項６】
前記ＳＲＦＳ帯域が無認可無線周波数スペクトル（ＵＲＦＳ）帯域を備える、請求項５に記載の方法。
【請求項７】
前記第１の送信電力および前記第２の送信電力が同じ送信電力レベルである、請求項５に記載の方法。
【請求項８】
前記第１のサブフレーム期間中に送信される前記第１の信号がアップリンクチャネル使用ビーコン信号（ＵＬ−ＣＵＢＳ）を備える、請求項５に記載の方法。
【請求項９】
前記第１の送信電力および前記第２の送信電力が、閉ループ電力制御を介して制御される、請求項８に記載の方法。
【請求項１０】
前記第２の信号が物理アップリンク共有チャネル（ＰＵＳＣＨ）送信を備え、
前記ＰＵＳＣＨ送信のための前記第２の送信電力が、前記第１の送信電力に少なくとも部分的に基づく、請求項９に記載の方法。
【請求項１１】
前記第１の送信電力および前記第２の送信電力が、開ループ制御に少なくとも部分的に基づく、請求項８に記載の方法。
【請求項１２】
１つまたは複数のネイバリングセルの信号強度を測定することと、
前記１つまたは複数のネイバリングセルの前記測定された信号強度をサービングセルに報告することと
をさらに備える、請求項５に記載の方法。
【請求項１３】
報告された測定に基づいて前記サービングセルにおいて決定されたターゲット電力レベルの指示を受信することをさらに備える、請求項１２に記載の方法。
【請求項１４】
前記１つまたは複数のネイバリングセルのうちの少なくとも１つが、前記サービングセルとは異なる事業者に関連するか、または前記サービングセルとは異なる無線アクセス技術（ＲＡＴ）に関連する、請求項１２に記載の方法。
【請求項１５】
前記１つまたは複数のネイバリングセルの前記測定された信号強度に少なくとも部分的に基づいて、前記第１の送信電力と前記第２の送信電力とを自律的に決定することをさらに備える、請求項１２に記載の方法。
【請求項１６】
前記第２の送信電力が、アップリンクサブフレーム期間中に送信される１つまたは複数のアップリンクチャネルに少なくとも部分的に基づく、請求項５に記載の方法。
【請求項１７】
前記第２の送信電力が、物理アップリンク共有チャネル（ＰＵＳＣＨ）のための固定送信電力、または物理アップリンク制御チャネル（ＰＵＣＣＨ）のための動的に調整可能な送信電力のうちの少なくとも１つに少なくとも部分的に基づく、請求項１６に記載の方法。
【請求項１８】
前記無線フレーム期間に関する前記ＵＥの前記アップリンク送信電力レベルが、前記サービング基地局によって選択された複数の電力制御モードのうちの１つのシグナリングに少なくとも部分的に基づいてさらに決定される、請求項５に記載の方法。
【請求項１９】
前記複数の電力制御モードのうちの前記１つが、チャネルまたは干渉状態、あるいは展開シナリオのうちの少なくとも１つに基づいて、前記サービング基地局によって選択される、請求項１８に記載の方法。
【請求項２０】
前記第２の信号が物理ランダムアクセスチャネル（ＰＲＡＣＨ）送信を備える、請求項５に記載の方法。
【請求項２１】
前記第２の送信電力が前記ＰＲＡＣＨの後続の送信中で調整可能電力制御モードを介して増加される、請求項２０に記載の方法。
【請求項２２】
前記ＰＲＡＣＨの１つまたは複数の失敗した送信試みがある場合、前記ＰＲＡＣＨの送信が前記ＰＲＡＣＨの後続の送信中で複数の送信時間間隔（ＴＴＩ）で繰り返される、請求項２０に記載の方法。
【請求項２３】
前記第１の送信電力と前記第２の送信電力とのための一貫した送信電力が、複数のコンポーネントキャリアのうちの１つまたは複数のコンポーネントキャリアの各々のために維持されるように、前記第１の送信電力および第２の送信電力が制御される、請求項５に記載の方法。
【請求項２４】
最大電力制限を決定することと、
前記最大電力制限に少なくとも部分的に基づいて、２つまたはそれ以上のコンポーネントキャリアの中の少なくとも１つのコンポーネントキャリアのための電力スケーリングを実行することによって第１の送信電力と第２の送信電力とを制御することと、ここにおいて、電力スケーリングは、スケーリングの後に、前記第１のサブフレーム期間と前記第２のサブフレーム期間とのための一貫した送信電力が前記少なくとも１つのコンポーネントキャリアのために維持されるようなものである、
をさらに備える、請求項２３に記載の方法。
【請求項２５】
電力スペクトル密度（ＰＳＤ）と総電力ヘッドルームとを含む電力ヘッドルーム報告（ＰＨＲ）を送信することをさらに備える、請求項５に記載の方法。
【請求項２６】
共有無線周波数スペクトル（ＳＲＦＳ）帯域上のワイヤレス通信のための装置であって、
少なくとも１つのプロセッサと、
前記少なくとも１つのプロセッサに結合されたメモリとを備え、前記少なくとも１つのプロセッサは、
無線フレーム期間の少なくとも一部分の間、前記ＳＲＦＳ帯域への競合に勝つことと、ここにおいて、前記無線フレーム期間が複数のサブフレーム期間を備える、
前記無線フレーム期間の第１のサブフレーム期間中に第１の送信電力で第１の信号を送信することと、
前記無線フレーム期間の第２のサブフレーム期間中に第２の送信電力で第２の信号を送信することと、
前記無線フレーム期間に関して決定された電力レベルに少なくとも部分的に基づいて、前記第１の送信電力および前記第２の送信電力の第１の制御を行うこと、ここにおいて、前記第２の送信電力の前記第１の制御は、前記第２の送信電力を前記決定された電力レベルに等しくなるように制御することを備える、と、
前記第２の送信電力の前記第１の制御を行うための第２の制御を行うこと、ここにおいて、前記第２の制御を行うことは、前記無線フレーム期間のダウンリンクサブフレーム中でダウンリンク信号と前記ダウンリンクサブフレームを補足する追加の信号とを送信すること、前記第２の送信電力が前記第１の送信電力または前記決定された電力レベルよりも高いまたは低い場合、前記無線フレーム期間の前記ダウンリンクサブフレーム中の送信持続時間をそれぞれ前記サブフレーム期間より長くまたはより短くするように調整すること、前記無線フレーム期間の前記ダウンリンクサブフレーム中で送信される信号を前記第１の送信電力または前記決定された電力レベルに一致するように電力増加させること、または前記第２の送信電力が前記第１の送信電力または前記決定された電力レベルよりも低い場合、前記無線フレーム期間の前記ダウンリンクサブフレーム中での送信のために割り当てられるリソースブロック（ＲＢ）の数を増加させるように調整することのうちの少なくとも１つを備え、前記第２の制御は、スケジュールされた限られた数の物理リソースブロックをもつダウンリンクサブフレームのための制御である、と
を行うように構成される、装置。
【請求項２７】
共有無線周波数スペクトル（ＳＲＦＳ）帯域上のワイヤレス通信のための装置であって、
少なくとも１つのプロセッサと、
前記少なくとも１つのプロセッサに結合されたメモリとを備え、前記少なくとも１つのプロセッサは、
無線フレーム期間の少なくとも一部分の間、前記ＳＲＦＳ帯域への競合に勝つことと、ここにおいて、前記無線フレーム期間が複数のサブフレーム期間を備える、
前記無線フレーム期間の第１のサブフレーム期間中に第１の送信電力で第１の信号を送信することと、
前記無線フレーム期間の第２のサブフレーム期間中に第２の送信電力で第２の信号を送信することと、ここにおいて、前記第１の送信電力および前記第２の送信電力が、前記無線フレーム期間に関して決定された前記装置のアップリンク送信電力レベルに少なくとも部分的に基づいて制御される、
を行うように構成され、
前記少なくとも１つのプロセッサが、前記装置によって測定された、１つまたは複数のネイバリングセルの第１の経路損失と、サービング基地局によって測定された、前記１つまたは複数のネイバリングセルの第２の経路損失とに少なくとも部分的に基づいて前記無線フレーム期間に関する前記装置の前記アップリンク送信電力レベルを決定するように構成される、装置。
【発明の詳細な説明】
【技術分野】
【０００１】
関連出願の相互参照
[0001]本出願は、本出願の譲受人に譲渡され、その全体が参照により本明細書に明確に組み込まれる、２０１４年１月３０日に出願された「TECHNIQUES FOR CONTROLLING TRANSMISSION POWER IN SHARED ACCESS RADIO SPECTRUM」と題する米国仮出願第６１／９３３，８０１号、および２０１５年１月２３日に出願された米国非仮出願第１４／６０３，８３９号の利益を主張する。
【０００２】
[0002]本開示は、一般にワイヤレス通信に関し、より詳細には、共有無線周波数スペクトル（ＳＲＦＳ：shared radio frequency spectrum）中の送信電力を制御するための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ：user equipment）のための通信をサポートすることができるいくつかの拡張ノード基地局（ｅノードＢ）を含み得る。ＵＥは、ダウンリンクおよびアップリンクを介してｅノードＢと通信し得る。ダウンリンク（または順方向リンク）はｅノードＢからＵＥへの通信リンクを指し、アップリンク（または逆方向リンク）はＵＥからｅノードＢへの通信リンクを指す。
【０００５】
[0005]モバイルブロードバンドアクセスに対する需要が増大し続けるにつれて、モバイルブロードバンドアクセスに対する増大する需要を満たすためだけでなく、モバイル通信のユーザエクスペリエンスを進化および向上させるためにも、無認可無線周波数スペクトル（ＵＲＦＳ：unlicensed radio frequency spectrum）を含み得る共有無線周波数スペクトル（ＳＲＦＳ）を使用することは、将来のワイヤレスニーズのためのスペクトル輻輳問題を解決すると考えられてきた。しかしながら、ＳＲＦＳは他の送信を搬送し得、したがって、リッスンビフォアトーク（ＬＢＴ：listen before talk）およびキャリアクリアアセスメント（ＣＣＡ：carrier clear assessment）などの技法は、過大な干渉を防ぐことが要求され得る。これらの技法は、ＳＲＦＳ内で送信電力を制御するための課題を提示し得る。
【発明の概要】
【０００６】
[0006]本開示のいくつかの態様は、基地局による、共有無線周波数スペクトル（ＳＲＦＳ）帯域上のワイヤレス通信のための方法を提供する。本方法は、無線フレーム期間の少なくとも一部分の間、ＳＲＦＳ帯域への競合に勝つことを含み得る。たとえば、無線フレーム期間は複数のサブフレーム期間を含み得る。本方法はまた、第１の期間中に第１の送信電力で第１の信号を送信することを含み得る。本方法は、さらに、第２の期間中に第２の送信電力で第２の信号を送信することを含み得る。たとえば、第１の送信電力および第２の送信電力は、無線フレーム期間に関して決定された電力レベルに少なくとも部分的に基づいて制御され得る。
【０００７】
[0007]本開示のいくつかの態様は、ユーザ機器による、ＳＲＦＳ帯域上のワイヤレス通信のための方法を提供する。本方法は、無線フレーム期間の少なくとも一部分の間、ＳＲＦＳ帯域への競合に勝つことを含み得る。たとえば、無線フレーム期間は複数のサブフレーム期間を含み得る。本方法はまた、無線フレーム期間の第１のサブフレーム期間中に第１の送信電力で第１の信号を送信することを含み得る。本方法は、さらに、無線フレーム期間の第２のサブフレーム期間中に第２の送信電力で第２の信号を送信することを含み得る。たとえば、第１の送信電力および第２の送信電力は、無線フレーム期間に関して決定された電力レベルに少なくとも部分的に基づいて制御され得る。
【０００８】
[0008]本開示のいくつかの態様は、基地局による、ＳＲＦＳ帯域上のワイヤレス通信のための装置を提供する。本装置は、無線フレーム期間の少なくとも一部分の間、ＳＲＦＳ帯域への競合に勝つように構成された少なくとも１つのプロセッサを含み得る。たとえば、無線フレーム期間は複数のサブフレーム期間を含み得る。少なくとも１つのプロセッサはまた、第１の期間中に第１の送信電力で第１の信号を送信するように構成され得る。少なくとも１つのプロセッサは、さらに、第２の期間中に第２の送信電力で第２の信号を送信するように構成され得る。たとえば、第１の送信電力および第２の送信電力は、無線フレーム期間に関して決定された電力レベルに少なくとも部分的に基づいて制御され得る。本装置はまた、少なくとも１つのプロセッサに結合された（たとえば、プロセッサが実行するためのその上に記憶された命令をもつ）メモリを含み得る。
【０００９】
[0009]本開示のいくつかの態様は、ユーザ機器による、ＳＲＦＳ帯域上のワイヤレス通信のための装置を提供する。本装置は、無線フレーム期間の少なくとも一部分の間、ＳＲＦＳ帯域への競合に勝つように構成された少なくとも１つのプロセッサを含み得る。たとえば、無線フレーム期間は複数のサブフレーム期間を含み得る。少なくとも１つのプロセッサはまた、無線フレーム期間の第１のサブフレーム期間中に第１の送信電力で第１の信号を送信するように構成され得る。少なくとも１つのプロセッサは、さらに、無線フレーム期間の第２のサブフレーム期間中に第２の送信電力で第２の信号を送信するように構成され得る。たとえば、第１の送信電力および第２の送信電力は、無線フレーム期間に関して決定された電力レベルに少なくとも部分的に基づいて制御され得る。本装置はまた、少なくとも１つのプロセッサに結合された（たとえば、プロセッサが実行するためのその上に記憶された命令をもつ）メモリを含み得る。
【００１０】
[0010]本開示のいくつかの態様は、基地局による、ＳＲＦＳ帯域上のワイヤレス通信のための装置を提供する。本装置は、無線フレーム期間の少なくとも一部分の間、ＳＲＦＳ帯域への競合に勝つための手段を含み得る。たとえば、無線フレーム期間は複数のサブフレーム期間を含み得る。本装置はまた、第１の期間中に第１の送信電力で第１の信号を送信するための手段を含み得る。本装置は、さらに、第２の期間中に第２の送信電力で第２の信号を送信するための手段を含み得る。たとえば、第１の送信電力および第２の送信電力は、無線フレーム期間に関して決定された電力レベルに少なくとも部分的に基づいて制御され得る。
【００１１】
[0011]本開示のいくつかの態様は、ユーザ機器による、ＳＲＦＳ帯域上のワイヤレス通信のための装置を提供する。本装置は、無線フレーム期間の少なくとも一部分の間、ＳＲＦＳ帯域への競合に勝つための手段を含み得る。たとえば、無線フレーム期間は複数のサブフレーム期間を含み得る。本装置はまた、無線フレーム期間の第１のサブフレーム期間中に第１の送信電力で第１の信号を送信するための手段を含み得る。本装置は、さらに、無線フレーム期間の第２のサブフレーム期間中に第２の送信電力で第２の信号を送信するための手段を含み得る。たとえば、第１の送信電力および第２の送信電力は、無線フレーム期間に関して決定された電力レベルに少なくとも部分的に基づいて制御され得る。
【００１２】
[0012]本開示のいくつかの態様は、基地局による、ＳＲＦＳ帯域上のワイヤレス通信のためのコンピュータ可読媒体を提供する。本コンピュータ可読媒体は、無線フレーム期間の少なくとも一部分の間、ＳＲＦＳ帯域への競合に勝つためのコードを含み得る。たとえば、無線フレーム期間は複数のサブフレーム期間を含み得る。本コンピュータ可読媒体はまた、第１の期間中に第１の送信電力で第１の信号を送信するためのコードを含み得る。本コンピュータ可読媒体はさらに、第２の期間中に第２の送信電力で第２の信号を送信するためのコードを含み得る。たとえば、第１の送信電力および第２の送信電力は、無線フレーム期間に関して決定された電力レベルに少なくとも部分的に基づいて制御され得る。
【００１３】
[0013]本開示のいくつかの態様は、ユーザ機器による、ＳＲＦＳ帯域上のワイヤレス通信のためのコンピュータ可読媒体を提供する。本コンピュータ可読媒体は、無線フレーム期間の少なくとも一部分の間、ＳＲＦＳ帯域への競合に勝つためのコードを含み得る。たとえば、無線フレーム期間は複数のサブフレーム期間を含み得る。本コンピュータ可読媒体はまた、無線フレーム期間の第１のサブフレーム期間中に第１の送信電力で第１の信号を送信するためのコードを含み得る。本コンピュータ可読媒体は、さらに、無線フレーム期間の第２のサブフレーム期間中に第２の送信電力で第２の信号を送信するためのコードを含み得る。たとえば、第１の送信電力および第２の送信電力は、無線フレーム期間に関して決定された電力レベルに少なくとも部分的に基づいて制御され得る。
【００１４】
[0014]本開示のいくつかの態様は、ＳＲＦＳ帯域上のワイヤレス通信のための方法を提供する。本方法は、フレーム期間の間、ＳＲＦＳ帯域への競合に勝つことを含み得る。たとえば、フレーム期間は複数のサブフレーム期間を含み得る。本方法はまた、フレーム期間の複数のサブフレーム期間のうちの第１のサブフレーム期間中に第１の送信電力で第１の信号を送信することを含み得る。本方法は、さらに、フレーム期間の複数のサブフレーム期間のうちの第２のサブフレーム期間中に第２の送信電力で第２の信号を送信することを含み得る。たとえば、第１の送信電力および第２の送信電力は、フレーム期間に関して決定された電力レベルに少なくとも部分的に基づいて制御され得る。
【００１５】
[0015]本開示の様々な態様および特徴について、添付の図面において示されるように、それの様々な例を参照しながら以下でさらに詳細に説明する。本開示について様々な例を参照しながら以下で説明するが、本開示はそれに制限されないことを理解されたい。本明細書の教示へのアクセスを有する当業者は、追加の実装形態、変更形態、および例、ならびに本明細書で説明する本開示の範囲内に入り、それに関して本開示が著しく有用であり得る他の使用分野を認識されよう。
【００１６】
[0016]本開示のより完全な理解を可能にするために、次に添付の図面を参照し、そこにおいて、同様の数字を用いて同様の要素が参照される。これらの図面は、本開示を限定するものとして解釈すべきではなく、例示的なものにすぎない。
【図面の簡単な説明】
【００１７】
【図１】[0017]本開示の様々な態様による、電気通信ネットワークシステムの一例を概念的に示すブロック図。
【図２】[0018]本開示の様々な態様による、共有無線周波数スペクトル（ＳＲＦＳ）帯域を使用するワイヤレス通信システムのための異なる展開シナリオを概念的に示すブロック図。
【図３】[0019]本開示の様々な態様に従って構成された例示的なｅノードＢと例示的なＵＥとを概念的に示すブロック図。
【図４Ａ】[0020]本開示の様々な態様による、ＳＲＦＳ帯域におけるダウンリンクリッスンビフォアトーク（Ｄ−ＬＢＴ：downlink listen-before-talk）プロシージャのために使用される例示的なフレーム構造を示す図。
【図４Ｂ】[0021]本開示の様々な態様による、ＳＲＦＳ帯域におけるアップリンクリッスンビフォアトーク（Ｕ−ＬＢＴ：uplink listen-before-talk）プロシージャのために使用される例示的なフレーム構造を示す図。
【図５】[0022]本開示の様々な態様による、基地局によるワイヤレス通信のための例示的なフローチャート。
【図６】[0023]本開示の様々な態様による、基地局によるワイヤレス通信のための例示的なフローチャート。
【図７】[0024]本開示の様々な態様による、ユーザ機器によるワイヤレス通信のための例示的なフローチャート。
【図８】[0025]本開示の様々な態様による、アップリンクチャネル使用ビーコン信号（ＵＬ−ＣＵＢＳ：uplink channel usage beacon signal）の送信電力を制御するための例示的なシナリオを示す図。
【図９Ａ】[0026]本開示の様々な態様による、ＵＬ−ＣＵＢＳの送信電力を制御するための例示的なシナリオを示す図。
【図９Ｂ】本開示の様々な態様による、ＵＬ−ＣＵＢＳの送信電力を制御するための例示的なシナリオを示す図。
【図１０Ａ】[0027]本開示の様々な態様による、アップリンク送信を保護するための例示的なシナリオを示す図。
【図１０Ｂ】本開示の様々な態様による、アップリンク送信を保護するための例示的なシナリオを示す図。
【図１１】[0028]本開示の様々な態様による、ユーザ機器によるワイヤレス通信のための例示的なフローチャート。
【図１２】[0029]本開示の様々な態様による、アップリンク送信電力を制御するための例示的なシナリオを示す図。
【図１３】[0030]本開示の様々な態様による、ユーザ機器によるワイヤレス通信のための例示的なフローチャート。
【図１４】[0031]本開示の様々な態様による、例示的な基地局を概念的に示すブロック図。
【図１５】[0032]本開示の様々な態様による、例示的なユーザ機器を概念的に示すブロック図。
【発明を実施するための形態】
【００１８】
[0033]本開示の態様は、共有無線周波数スペクトル（ＳＲＦＳ）帯域中での送信の電力を制御するための技法（たとえば、方法、装置、およびシステム）を提供する。本明細書で使用するＳＲＦＳ帯域は、無認可無線周波数スペクトル（ＵＲＦＳ）帯域、たとえば、ＲＦスペクトル帯域が無認可使用のために利用可能であるので、装置がアクセスを求めて競合するＲＦスペクトル帯域、および／または許可された共有アクセス（ＡＳＡ：authorized shared access）無線周波数（ＲＦ：radio frequency）スペクトル帯域、たとえば、複数のモバイルネットワーク事業者（ＭＮＯ：mobile network operator）への共有アクセスのために利用可能であるＲＦスペクトル帯域を指すことがある。認可無線周波数スペクトル（ＬＲＦＳ：licensed radio frequency spectrum）帯域は、ＲＦスペクトル帯域が認可使用のために利用可能であるので、装置がアクセスを求めて競合する必要がないＲＦスペクトル帯域、および／または１つまたは複数のＭＮＯへの使用のために認可されたＲＦスペクトル帯域を指すことがある。
【００１９】
[0034]本開示の様々な態様では、１つまたは複数のＵＥに送信された信号、および／または１つまたは複数のＵＥによって送信された信号は、ＳＲＦＳ帯域を使用して送信し得る１つまたは複数の他のノードからの干渉を経験し得る。たとえば、基地局は、ワイヤレスローカルエリアネットワーク（ＷＬＡＮ）アクセスポイント（ＡＰ）が、基地局と同じ部分のＳＲＦＳ帯域を使用して、（１つまたは複数の）ＵＥにおいて受信された信号との干渉を生じ得る信号を送信していることがあることを検出しないことがある。そのようなＷＬＡＮ  ＡＰは、たとえば、ＷＬＡＮ  ＡＰが基地局のエネルギー検出範囲の外部にあることにより検出されないことがあるか、または干渉ＷＬＡＮ  ＡＰを基地局が検出することを妨げ得る他の基地局との時分割多重様式で基地局が動作することにより、検出されないことがある。いくつかの例では、そのような干渉ノードは、ＵＥをサービスする基地局とは異なる展開の一部であり得る別の基地局であり、上述したのと同様の理由でサービング基地局が検出しないことがある別の基地局であり得る。そのような干渉ＷＬＡＮ  ＡＰまたは基地局（またはＳＲＦＳ帯域を使用して送信する他の干渉デバイス）は、サービング基地局によって検出されない隠れノードと呼ばれることがある。
【００２０】
[0035]本開示の様々な態様によれば、隠れノード問題を緩和および／または解消するために、基地局および／またはＵＥの送信電力が制御され得る。たとえば、基地局および／またはＵＥの送信電力は、１つまたは複数の隠れノードによる基地局および／またはＵＥの検出を可能にするために、無線フレーム期間の複数のサブフレームにわたって制御され得る。一例では、基地局および／またはＵＥの送信電力は、無線フレームの複数のサブフレームにわたって同じ送信電力を有するように制御され得る。別の例では、隠れノード問題を緩和および／または解消するために、基地局によって送信されるチャネル使用ビーコン信号（ＣＵＢＳ：channel usage beacon signal）の送信電力が制御され得る。他の例では、隠れノード問題を緩和および／または解消するために、ＵＥによって送信されるチャネル使用ビーコン信号（ＣＵＢＳ）の送信電力が制御され得る。
【００２１】
[0036]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造および構成要素をブロック図の形式で示す。
【００２２】
[0037]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ（登録商標））およびＬＴＥアドバンスト（ＬＴＥ−Ａ：LTE（登録商標）-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００２３】
[0038]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課される設計制約に依存する。
【００２４】
[0039]例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。
【００２５】
[0040]したがって、１つまたは複数の例示的な実施形態では、説明する機能は、ハードウェア、ソフトウェア、またはそれらの組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＰＣＭ（相変化メモリ）、フラッシュメモリ、ＣＤ−ＲＯＭまたは他の光ディスクストレージ、磁気ディスクストレージ、または他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２６】
[0041]図１は、本開示の様々な態様による、電気通信ネットワークシステム１００の一例を概念的に示すブロック図である。たとえば、電気通信ネットワークシステム１００はＬＴＥ電気通信ネットワークシステムであり得る。本明細書で説明する本開示の様々な態様によれば、電気通信ネットワークシステム１００は、いくつかの発展型ノードＢ（ｅノードＢ）１１０およびユーザ機器（ＵＥ）１２０と、他のネットワークエンティティとを含み得、それらの一部または全部は、ＬＲＦＳ帯域中のコンポーネントキャリアおよび／またはＳＲＦＳ帯域中のコンポーネントキャリアを使用して通信することが可能であり得る。
【００２７】
[0042]ｅノードＢ１１０は、ＵＥ１２０と通信する局であり得、基地局（ＢＳ）、ＡＰなどと呼ばれることもある。ノードＢは、ＵＥ１２０と通信する局の別の例である。
【００２８】
[0043]各ｅノードＢ１１０は、特定の地理的エリアに通信カバレージを与え得る。「セル」という用語は、この用語が使用されるコンテキストに応じて、ｅノードＢ１１０のカバレージエリアおよび／またはこのカバレージエリアをサービスしているｅノードＢサブシステムを指すことがある。以下でより詳細に説明するように、いくつかのセルは、ＬＲＦＳ帯域を使用して動作し得るが、他のセルは、ＳＲＦＳ帯域を使用して動作し得る。
【００２９】
[0044]ｅノード１１０は、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥ１２０による無制限のアクセスを可能にし得る。ピコセルは、比較的小さい地理的エリアをカバーし得、サービスに加入しているＵＥ１２０による無制限のアクセスを可能にし得る。フェムトセルは、比較的小さい地理的エリア（たとえば、自宅）をカバーし得、フェムトセルとの関連付けを有するＵＥ１２０（たとえば、ＵＥ１２０は限定加入者グループ（ＣＳＧ：Closed Subscriber Group）に加入し得、自宅内のユーザのためのＵＥ１２０など）による制限付きアクセスを可能にし得る。マクロセルのためのｅノードＢ１１０はマクロｅノードＢと呼ばれることがある。ピコセルのためのｅノードＢ１１０はピコｅノードＢと呼ばれることがある。フェムトセルのためのｅノードＢ１１０はフェムトｅノードＢまたはホームｅノードＢと呼ばれることがある。図１に示された例では、ｅノードＢ１１０ａ、１１０ｂおよび１１０ｃは、それぞれマクロセル１０２ａ、１０２ｂおよび１０２ｃのためのマクロｅノードＢであり得る。ｅノードＢ１１０ｘは、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢ１１０は、１つまたは複数（たとえば、３つ）のセルに通信カバレージを与え得る。
【００３０】
[0045]電気通信ネットワークシステム１００は、リレーｅノードＢ、リレーなどと呼ばれることもある、１つまたは複数のリレー局１１０ｒおよび１２０ｒを含み得る。リレー局１１０ｒは、上流局（たとえば、ｅノードＢ１１０またはＵＥ１２０）からデータおよび／または他の情報の送信を受信し、データおよび／または他の情報の受信された送信を下流局（たとえば、ＵＥ１２０またはｅノードＢ１１０）に送る局であり得る。中継局１２０ｒは、他のＵＥ（図示せず）に対する送信を中継するＵＥであり得る。図１に示された例では、中継局１１０ｒは、ｅノードＢ１１０ａとＵＥとの間の通信を可能にするために、ｅノードＢ１１０ａおよびＵＥ（たとえば、中継局１２０ｒ）と通信し得る。
【００３１】
[0046]電気通信ネットワークシステム１００は、異なるタイプのｅノードＢ１１０、たとえば、マクロｅノードＢ１１０ａ〜ｃ、ピコｅノードＢ１１０ｘ、フェムトｅノードＢ１１０ｙ〜ｚ、中継局１１０ｒなどを含む異種ネットワークであり得る。これらの異なるタイプのｅノードＢ１１０は、電気通信ネットワークシステム１００において異なる送信電力レベル、異なるカバレージエリア、および干渉に対する異なる影響を有し得る。たとえば、マクロｅノードＢ１１０ａ〜ｃは、高い送信電力レベル（たとえば、２０ワット）を有し得るが、ピコｅノードＢ１１０ｘ、フェムトｅノードＢ１１０ｙ〜ｚおよび中継局１１０ｒは、より低い送信電力レベル（たとえば、１ワット）を有し得る。
【００３２】
[0047]電気通信ネットワークシステム１００は同期動作または非同期動作をサポートし得る。同期動作の場合、ｅノードＢ１１０は同様のフレームタイミングを有し得、異なるｅノードＢ１１０からの送信は時間的にほぼ整合され得る（たとえば、異なるｅノードＢ１１０の１つまたは複数のサブフレームおよび／またはフレーム境界は、同時に整合され得る）。非同期動作の場合、ｅノードＢ１１０は、異なるフレームタイミングを有し得、異なるｅノードＢ１１０からの送信は時間的に整合されないことがある（たとえば、異なるｅノードＢ１１０の１つまたは複数のサブフレームおよび／またはフレーム境界は、同時に整合されないことがある）。本明細書で説明する技法は、同期動作と非同期動作の両方の場合の送信電力を制御するために使用され得る。
【００３３】
[0048]ネットワークコントローラ１３０は、ｅノードＢ１１０のセットに結合され、これらのｅノードＢ１１０の協調および制御を行い得る。ネットワークコントローラ１３０は、バックホール（図示せず）を介してｅノードＢ１１０と通信し得る。ｅノードＢ１１０はまた、たとえば、ワイヤレスまたはワイヤラインバックホール（たとえば、Ｘ２インターフェース）（図示せず）を介して直接または間接的に、互いに通信し得る。
【００３４】
[0049]ＵＥ１２０（たとえば、１２０ｘ、１２０ｙなど）は電気通信ネットワークシステム１００全体にわたって分散され得、各ＵＥ１２０は固定または移動であり得る。たとえば、ＵＥ１２０は、端末、移動局、加入者ユニット、局などと呼ばれることもある。別の例では、ＵＥ１２０は、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、ネットブック、スマートブックなどであり得る。ＵＥ１２０は、マクロｅノードＢ１１０ａ〜ｃ、ピコｅノードＢ１１０ｘ、フェムトｅノードＢ１１０ｙ〜ｚ、中継局１１０ｒなどと通信することが可能であり得る。たとえば、図１において、両矢印付きの実線は、ダウンリンクおよび／またはアップリンク上での、ＵＥ１２０と、そのＵＥ１２０をサービスするように指定されたｅノードＢ１１０であるサービングｅノードＢ１１０との間の所望の送信を示し得る。両矢印付きの破線は、ＵＥ１２０とｅノードＢ１１０との間の干渉送信を示し得る。
【００３５】
[0050]ＬＴＥは、ダウンリンク上で直交周波数分割多重（ＯＦＤＭ）を利用し、アップリンク上でシングルキャリア周波数分割多重（ＳＣ−ＦＤＭ）を利用し得る。ＯＦＤＭおよびＳＣ−ＦＤＭは、システム帯域幅を、一般にトーン、ビンなどとも呼ばれる複数（Ｋ）個の直交サブキャリアに区分し得る。各サブキャリアはデータで変調され得る。概して、変調シンボルは、ＯＦＤＭでは周波数領域中で、ＳＣ−ＦＤＭでは時間領域中で送られ得る。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称高速フーリエ変換（ＦＦＴ）サイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はサブバンドに区分され得る。たとえば、サブバンドは１．０８ＭＨｚ（すなわち、６つのリソースブロック）をカバーし得、１．２５、２．５、５、１０または２０ＭＨｚのシステム帯域幅に対してそれぞれ１、２、４、８または１６個のサブバンドがあり得る。
【００３６】
[0051]いくつかの例では、電気通信ネットワークシステム１００は、ＬＲＦＳ帯域（たとえば、ＲＦスペクトル帯域が特定の使用のために特定のユーザに認可されるので、装置がアクセスを求めて競合する必要がないＲＦスペクトル帯域）、および／またはＳＲＦＳ帯域（たとえば、ＲＦスペクトル帯域が共用のために利用可能であるので、装置がアクセスを求めて競合するＲＦスペクトル帯域、および／または複数のＭＮＯによる共有アクセスのために利用可能であるＲＦスペクトル帯域）における１つまたは複数の動作モードまたは展開をサポートし得る。
【００３７】
[0052]電気通信ネットワークシステム１００のいくつかの例では、展開シナリオは、ＬＲＦＳ中のＬＴＥ／ＬＴＥ−Ａダウンリンク通信がＳＲＦＳにオフロードされ得る補足ダウンリンクモードまたは認可支援アクセス（ＬＡＡ：licensed assisted access）モードと、ダウンリンク通信とアップリンク通信の両方がＬＲＦＳ帯域および／またはＳＲＦＳ帯域のアグリゲートコンポーネントキャリア上で搬送され得るキャリアアグリゲーションモードと、ｅノードＢとＵＥとの間のダウンリンクおよびアップリンク通信がＳＲＦＳ帯域を使用していることがあるスタンドアロンモードとを含み得る。ｅノードＢ１１０ならびにＵＥ１２０は、これらのモードまたは同様の動作モードのうちの１つまたは複数をサポートし得る。
【００３８】
[0053]図２に、本開示の様々な態様による、ＬＴＥ／ＬＴＥ−Ａが、ＳＲＦＳ帯域を使用して異なるシナリオの下で展開され得るワイヤレス通信システム２００を示す。より詳細には、図２は、補足ダウンリンクモード（ＬＡＡモードとも呼ばれる）と、キャリアアグリゲーションモードと、ＬＴＥ／ＬＴＥ−ＡがＳＲＦＳ帯域を使用して展開され得るスタンドアロンモードとの例を示している。ワイヤレス通信システム２００は、図１を参照しながら説明した電気通信ネットワークシステム１００の部分の一例であり得る。その上、第１のＢＳ２０５および第２のＢＳ２０５−ａは、図１を参照しながら説明したＢＳ／ｅノードＢ１１０の例であり得るが、第１のＵＥ２１５、第２のＵＥ２１５−ａ、第３のＵＥ２１５−ｂ、および第４のＵＥ２１５−ｃは、図１を参照しながら説明したＵＥ１２０のうちの１つまたは複数の例であり得る。
【００３９】
[0054]ワイヤレス通信システム２００における補足ダウンリンクモード（またはＬＡＡモード）の例では、第１のＢＳ２０５は、ダウンリンクチャネル２２０を使用して第１のＵＥ２１５にＯＦＤＭＡ波形を送信し得る。ダウンリンクチャネル２２０はＳＲＦＳ帯域中の周波数Ｆ１に関連し得る。第１のＢＳ２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５はＬＲＦＳ帯域中の周波数Ｆ４に関連し得る。ＳＲＦＳ帯域中のダウンリンクチャネル２２０とＬＲＦＳ帯域中の第１の双方向リンク２２５とは、同時に動作し得る。ダウンリンクチャネル２２０は第１のＢＳ２０５にダウンリンク容量オフロードを与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、ＬＲＦＳ帯域を使用し、トラフィックまたはシグナリング輻輳の一部を軽減する必要がある、任意のサービスプロバイダ（たとえば、ＭＮＯ）に関して発生し得る。
【００４０】
[0055]ワイヤレス通信システム２００におけるキャリアアグリゲーションモードの一例では、第１のＢＳ２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０はＳＲＦＳ帯域中の周波数Ｆ１に関連し得る。第１のＢＳ２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５はＬＲＦＳ帯域中の周波数Ｆ２に関連し得る。第２の双方向リンク２３０は、第１のＢＳ２０５にダウンリンクおよびアップリンク容量オフロードを与え得る。上記で説明した補足ダウンリンクモード（またはＬＡＡモード）のように、このシナリオは、ＬＲＦＳ帯域を使用し、トラフィックまたはシグナリング輻輳の一部を軽減する必要がある、任意のサービスプロバイダ（たとえば、ＭＮＯ）に関して発生し得る。
【００４１】
[0056]ワイヤレス通信システム２００におけるキャリアアグリゲーションモードの別の例では、第１のＢＳ２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０はＳＲＦＳ帯域中の周波数Ｆ３に関連し得る。第１のＢＳ２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５はＬＲＦＳ帯域中の周波数Ｆ２に関連し得る。第４の双方向リンク２４０は、第１のＢＳ２０５にダウンリンクおよびアップリンク容量オフロードを与え得る。この例および上記で与えた例は説明の目的で提示され、容量オフロードのために、ＬＲＦＳ帯域中でＬＴＥ／ＬＴＥ−Ａを組み合わせ、ＳＲＦＳ帯域を使用する他の同様の動作モードまたは展開シナリオがあり得る。
【００４２】
[0057]上記で説明したように、ＳＲＦＳ帯域中でＬＴＥ／ＬＴＥ−Ａを使用することによって提供される容量オフロードから恩恵を受け得るサービスプロバイダの１つのタイプは、ＬＴＥ／ＬＴＥ−Ａ  ＬＲＦＳ帯域へのアクセス権を有する旧来のＭＮＯである。これらのサービスプロバイダの場合、動作例としては、ＬＲＦＳ帯域上でＬＴＥ／ＬＴＥ−Ａ１次コンポーネントキャリア（ＰＣＣ）を使用し、ＳＲＦＳ帯域上で少なくとも１つの２次コンポーネントキャリア（ＳＣＣ）を使用するブートストラップモード（たとえば、補足ダウンリンクモード（ＬＡＡモード、キャリアアグリゲーションモード）があり得る。
【００４３】
[0058]キャリアアグリゲーションモードでは、データおよび制御は、たとえば、ＬＲＦＳ帯域中で（たとえば、第１の双方向リンク２２５、第３の双方向リンク２３５、および第５の双方向リンク２４５を介して）通信され得るが、データは、たとえば、ＳＲＦＳ帯域中で（たとえば、第２の双方向リンク２３０および第４の双方向リンク２４０を介して）通信され得る。ＳＲＦＳ帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたる異なる対称性を伴うＴＤＤ−ＴＤＤキャリアアグリゲーションに入り得る。
【００４４】
[0059]ワイヤレス通信システム２００におけるスタンドアロンモードの一例では、第２のＢＳ２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０はＳＲＦＳ帯域中の周波数Ｆ３に関連し得る。スタンドアロンモードは、スタジアム内アクセス（たとえば、ユニキャスト、マルチキャスト）など、非旧来型ワイヤレスアクセスシナリオにおいて使用され得る。この動作モードのためのサービスプロバイダのタイプの一例は、ＬＲＦＳ帯域へのアクセスを有しない、スタジアム所有者、ケーブル会社、イベント主催者、ホテル、企業、または大企業であり得る。
【００４５】
[0060]図３は、本開示の様々な態様による、例示的なＢＳ／ｅノードＢ３１０と例示的なＵＥ３２０とがＬＲＦＳ帯域および／またはＳＲＦＳ帯域を使用して通信するように構成され得る電気通信ネットワークシステム３００の一例を概念的に示すブロック図である。電気通信ネットワークシステム３００は、図１を参照しながら説明した電気通信ネットワークシステム１００の部分の一例であり得る。たとえば、図３に示されているＢＳ／ｅノードＢ３１０およびＵＥ３２０は、図１中のＢＳ／ｅノードＢ１１０のうちの１つおよびＵＥ１２０のうちの１つであり得る。ＢＳ／ｅノードＢ３１０はアンテナ３３４1~tを装備し得、ＵＥ３２０はアンテナ３５２1~rを装備し得、ここにおいて、ｔおよびｒは１以上の整数である。
【００４６】
[0061]ＢＳ／ｅノードＢ３１０において、ＢＳ送信プロセッサ３１８は、ＢＳデータソース３１２からデータを受信し、ＢＳコントローラ／プロセッサ３４０から制御情報を受信し得る。制御情報は、ＰＢＣＨ、ＰＣＦＩＣＨ、ＰＨＩＣＨ、ＰＤＣＣＨなどの上で搬送され得る。データは、ＰＤＳＣＨなどの上で搬送され得る。ＢＳ送信プロセッサ３１８は、データシンボルおよび制御シンボルを取得するために、それぞれデータおよび制御情報を処理（たとえば、符号化およびシンボルマッピング）し得る。ＢＳ送信プロセッサ３１８はまた、たとえば、ＰＳＳ、ＳＳＳ、およびセル固有基準信号（ＲＳ：reference signal）のための基準シンボルを生成し得る。ＢＳ送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームをＢＳ変調器／復調器（ＭＯＤ／ＤＥＭＯＤ）３３２1~tに与え得る。各ＢＳ  ＭＯＤ／ＤＥＭＯＤ３３２は、出力サンプルストリームを取得するために、（たとえば、ＯＦＤＭなどのための）それぞれの出力シンボルストリームを処理し得る。各ＢＳ  ＭＯＤ／ＤＥＭＯＤ３３２はさらに、ダウンリンク信号を取得するために、出力サンプルストリームを処理（たとえば、アナログへの変換、増幅、フィルタ処理、およびアップコンバート）し得る。ＭＯＤ／ＤＥＭＯＤ３３２1~tからのダウンリンク信号は、それぞれアンテナ３３４1~tを介して送信され得る。
【００４７】
[0062]ＵＥ３２０において、ＵＥアンテナ３５２1~rは、ＢＳ／ｅノードＢ３１０からダウンリンク信号を受信し得、受信信号をそれぞれＵＥ  ＭＯＤ／ＤＥＭＯＤ３５４1~rに与え得る。各ＵＥ  ＭＯＤ／ＤＥＭＯＤ３５４は、入力サンプルを取得するために、それぞれの受信信号を調整（たとえば、フィルタ処理、増幅、ダウンコンバート、およびデジタル化）し得る。各ＵＥ  ＭＯＤ／ＤＥＭＯＤ３５４はさらに、受信シンボルを取得するために、（たとえば、ＯＦＤＭなどのために）入力サンプルを処理し得る。ＵＥ  ＭＩＭＯ検出器３５６は、すべてのＵＥ  ＭＯＤ／ＤＥＭＯＤ３５４1~rから受信シンボルを取得し、適用可能な場合は受信シンボルに対してＭＩＭＯ検出を実行し、検出シンボルを与え得る。ＵＥ受信プロセッサ３５８は、検出シンボルを処理（たとえば、復調、デインターリーブ、および復号）し、ＵＥ３２０の復号されたデータをＵＥデータシンク３６０に与え、復号された制御情報をＵＥコントローラ／プロセッサ３８０に与え得る。
【００４８】
[0063]アップリンク上では、ＵＥ３２０において、ＵＥ送信プロセッサ３６４は、ＵＥデータソース３６２から（たとえば、物理アップリンク共有チャネル（ＰＵＳＣＨ：physical uplink shared channel）のための）データを受信し、処理し得、ＵＥコントローラ／プロセッサ３８０から（たとえば、ＰＵＣＣＨのための）制御情報を受信し、処理し得る。ＵＥ送信プロセッサ３６４はまた、基準信号のための基準シンボルを生成し得る。ＵＥ送信プロセッサ３６４からのシンボルは、適用可能な場合はＵＥ  ＴＸ  ＭＩＭＯプロセッサ３６６によってプリコーディングされ、さらに（たとえば、ＳＣ−ＦＤＭなどのために）ＵＥ  ＭＯＤ／ＤＥＭＯＤ３５４1~rによって処理され、ＢＳ／ｅノードＢ３１０に送信され得る。ＢＳ／ｅノードＢ３１０において、ＵＥ３２０からのアップリンク信号は、ＢＳアンテナ３３４によって受信され、ＢＳ  ＭＯＤ／ＤＥＭＯＤ３３２によって処理され、適用可能な場合はＢＳ  ＭＩＭＯ検出器３３６によって検出され、ＵＥ３２０によって送られた復号されたデータと制御情報とを取得するために、ＢＳ受信プロセッサ３３８によってさらに処理され得る。ＢＳ受信プロセッサ３３８は、復号されたデータをＢＳデータシンク３４６に与え、復号された制御情報をＢＳコントローラ／プロセッサ３４０に与え得る。
【００４９】
[0064]ＢＳコントローラ／プロセッサ３４０およびＵＥコントローラ／プロセッサ３８０は、それぞれＢＳ／ｅノードＢ３１０における動作およびＵＥ３２０における動作を指示し得る。ＢＳ／ｅノードＢ３１０におけるＢＳコントローラ／プロセッサ３４０ならびに／または他のプロセッサおよびモジュールは、たとえば、図５および図６に示すフローチャートの機能ブロック、および／または本明細書で説明する技法のための他のプロセスの実行を実施または指示し得る。ＵＥ３２０におけるＵＥコントローラ／プロセッサ３８０ならびに／または他のプロセッサおよびモジュールはまた、たとえば、図７、図１１および図１３に示すフローチャートの機能ブロック、および／または本明細書で説明する技法のための他のプロセスの実行を実施または指示し得る。ＢＳメモリ３４２およびＵＥメモリ３８２は、それぞれＢＳ／ｅノードＢ３１０およびＵＥ３２０のためのデータおよびプログラムコードを記憶し得る。ＢＳスケジューラ３４４は、ダウンリンク上および／またはアップリンク上でのデータ送信のためにＵＥ３２０をスケジュールし得る。
【００５０】
[0065]場合によっては、ＳＲＦＳ帯域を介して通信するときに、ＳＲＦＳ帯域への競合ベースアクセスに勝つために、ネットワークノード（たとえば、ＵＥまたはＢＳ）がリッスンビフォアトーク（ＬＢＴ）プロシージャを実行し得る。ＬＢＴプロシージャは、干渉を回避するために、ＲＦ帯域上で通信する（通話する）前に、別のネットワークノードが同じＲＦ帯域を占有しているかどうかを決定するために監視すること（リッスンすること）を指すことがある。ＢＳは、ダウンリンク上で通信する前に、ダウンリンクＬＢＴ（Ｄ−ＬＢＴ）プロシージャを実行し得るが、ＵＥは、アップリンク上で通信する前に、アップリンクＬＢＴ（Ｕ−ＬＢＴ）プロシージャを実行し得る。
【００５１】
[0066]図４Ａに、本開示の様々な態様による、ＳＲＦＳ帯域におけるＤ−ＬＢＴプロシージャを示すために使用され得る例示的なフレーム構造を示す。（エンティティが競合に勝っており、ＳＲＦＳ帯域を占有／予約する持続時間を指すことがある）ＬＢＴ固定フレーム期間に対応し得るフレーム４１０は、１０ミリ秒の持続時間を有し得る。図示のように、フレーム４１０は、いくつかのダウンリンクサブフレーム４２０と、いくつかのアップリンクサブフレーム４２２と、２つのタイプのスペシャルサブフレーム、Ｓサブフレーム４３０およびＳ’サブフレーム４３２とを含み得る。
【００５２】
[0067]Ｓサブフレーム４３０は、ダウンリンクサブフレーム４２０とアップリンクサブフレーム４２２との間の遷移を与え得るが、Ｓ’サブフレーム４３２は、アップリンクサブフレーム４２２とダウンリンクサブフレーム４２０との間の遷移を与え得る。図示のように、Ｓ’サブフレーム４３２中に、Ｄ−ＬＢＴプロシージャは、別のネットワークノードがＳＲＦＳ帯域を占有しているかどうかを決定するために、図１を参照しながら説明したｅノードＢ１１０のうちの１つまたは複数など、１つまたは複数のＢＳによって実行され得る。別のネットワークノードがＳＲＦＳ帯域を占有していないと決定された場合、ＢＳは通信のためにある時間期間の間ＳＲＦＳ帯域を予約し得る。たとえば、図示のように、Ｄ−ＬＢＴプロシージャの成功（たとえば、ＳＲＦＳ帯域にアクセスするための競合に勝つこと）に続いて、ＢＳは、ＢＳがＳＲＦＳ帯域を占有／予約したという指示を他のネットワークノードおよび／または装置に与えるために、ダウンリンクチャネル使用ビーコン信号（ＤＬ−ＣＵＢＳ）を送信し得る。
【００５３】
[0068]図示のように、Ｓ’サブフレーム４３２は、０〜１３と番号付けされた１４個のＯＦＤＭシンボルを含み得る。Ｓ’サブフレーム４３２の第１の部分、この例ではシンボル０〜５は、いくつかの規格（たとえば、ＬＴＥ／ＬＴＥ−Ａ）との互換性のために使用され得る無音ＤＬ期間としてＢＳによって使用され得る。したがって、ＢＳは無音ＤＬ期間中にデータを送信しないことがあるが、ＵＥは無音ＤＬ期間中にある程度の量のアップリンクデータを送信し得る。
【００５４】
[0069]Ｓ’サブフレーム４３２の第２の部分、この例ではシンボル６〜１２は、Ｄ−ＬＢＴプロシージャのために使用され得る。図示の例では、Ｓ’サブフレーム４３２は、Ｄ−ＬＢＴスロットとして働くための７つのシンボル、シンボル６〜１２を含む。異なるネットワーク事業者による異なるＤ−ＬＢＴシンボルの使用は、より効率的なシステム動作を行うように協調され得る。いくつかの例では、Ｄ−ＬＢＴプロシージャを実行するために７つの可能なＤ−ＬＢＴシンボルのうちのどれを使用すべきかを決定するために、ｅノードＢ１１０は、次の形式のマッピング関数を評価し得る。
【００５５】
【数１】
0006374009.tif 000002
【００５６】
ただし、ＧｒｏｕｐＩＤは、ｅノードＢ１１０に割り当てられた「展開グループｉｄ」であり、ｔは、Ｄ−ＬＢＴがその間実行されるフレームに対応するＬＢＴフレーム番号である。Ｄ−ＬＢＴシンボルをこのようにして割り当てることは、異なるＢＳがチャネルへのアクセスを獲得する公平な機会を有することを保証するのに役立ち得る。Ｓ’サブフレーム４３２の最後のシンボル、この例ではシンボル１３は、ＤＬ−ＣＵＢＳ送信のために使用され得る。たとえば、上述のように、（たとえば、Ｓ’サブフレーム４３２のシンボル６〜１２のうちの１つ中でＳＲＦＳ帯域上でアクティビティが検出されない）Ｄ−ＬＢＴプロシージャの成功に続いて、ＢＳは、ＢＳがＳＲＦＳ帯域を占有／予約したという指示を他のネットワークノードおよび／または装置に与えるために、Ｓ’サブフレーム４３２のシンボル１３中でＤＬ−ＣＵＢＳを送信し得る。
【００５７】
[0070]図４Ｂに、本開示の様々な態様による、ＳＲＦＳ帯域におけるＵ−ＬＢＴプロシージャを示すために使用され得る例示的なフレーム構造を示す。
【００５８】
[0071]上記で説明したように、フレーム４１０は、ダウンリンクサブフレーム４２０とアップリンクサブフレーム４２２との間の遷移を与えるＳサブフレーム４３０を含み得るが、Ｓ’サブフレーム４３２は、アップリンクサブフレーム４２２とダウンリンクサブフレーム４２０との間の遷移を与え得る。
【００５９】
[0072]図４Ｂに示されているように、Ｓサブフレーム４３０中に、Ｕ−ＬＢＴプロシージャが、ある時間期間の間、ワイヤレス通信がそれの上で行われるＳＲＦＳ帯域を予約するために、図１および図３を参照しながら上記で説明したＵＥ１２０および３２０のうちの１つまたは複数など、１つまたは複数のＵＥによって実行され得る。ＵＥによるＵ−ＬＢＴプロシージャの成功に続いて、ＵＥは、ＵＥがＳＲＦＳ帯域を占有／予約したという指示を他のＵＥおよび／または装置に与えるためにＵＬ−ＣＵＢＳを送信し得る。
【００６０】
[0073]図示のように、Ｓサブフレーム４３０は、０〜１３と番号付けされた１４個のＯＦＤＭシンボルを含み得る。Ｓサブフレーム４３０の第１の部分、この例ではシンボル０〜３は、ダウンリンクパイロットタイムスロット（ＤｗＰＴＳ）４７２として使用され得、Ｓサブフレーム４３０の第２の部分、この例ではシンボル４および５は、ガード期間（ＧＰ）４８０として使用され得る。Ｓサブフレーム４３０の第３の部分、この例ではシンボル６〜１２は、Ｕ−ＬＢＴプロシージャのために使用され得る。図示の例では、Ｓサブフレーム４３０は、シンボル６〜１２中に含まれる７つのＵ−ＬＢＴシンボルを含む。ちょうど、図４Ａに示された異なるＤ−ＬＢＴシンボルの使用が、異なるＢＳによって使用され得るように、異なるＵＥによる異なるＵ−ＬＢＴシンボルの使用は、より効率的なシステム動作を行うように協調され得る。いくつかの例では、Ｕ−ＬＢＴプロシージャを実行するために７つの可能なＵ−ＬＢＴシンボルのうちのどれを使用すべきかを決定するために、ＵＥは、次の形式のマッピング関数を評価し得る。
【００６１】
【数２】
0006374009.tif 000003
【００６２】
ただし、ＧｒｏｕｐＩＤは、ＵＥに割り当てられた「展開グループｉｄ」であり、ｔは、Ｕ−ＬＢＴが実行されるフレームに対応するＬＢＴフレーム番号である。Ｓサブフレーム４３０の最後のシンボル、同じく、この例ではシンボル１３は、ＵＬ−ＣＵＢＳ送信のために使用され得る。たとえば、上述のように、Ｕ−ＬＢＴプロシージャの成功（たとえば、Ｓサブフレーム４３０のシンボル６〜１２のうちの１つ中でＳＲＦＳ帯域上でアクティビティが検出されないこと）に続いて、ＵＥは、ＵＥがＳＲＦＳ帯域を占有／予約したという指示を他のＵＥおよび／または装置に与えるために、Ｓサブフレーム４３０のシンボル１３中でＵＬ−ＣＵＢＳを送信し得る。
【００６３】
[0074]Ｄ−ＬＢＴおよび／またはＵ−ＬＢＴのためのマッピング関数は、異なる基準に基づいて、たとえば、マッピング関数が直交化性質を有することになるのか非直交化性質を有することになるのかに応じて構成され得る。直交ＬＢＴアクセスを用いる例では、マッピング関数は、以下による直交化性質を有し得る。
【００６４】
【数３】
0006374009.tif 000004
【００６５】
【数４】
0006374009.tif 000005
【００６６】
すべての時間ｔについて、ｘ≠ｙであるときはいつでも異なるグループＩＤを表す。この場合、異なるグループｉｄをもつＢＳおよび／またはＵＥは、重複しないＬＢＴ時間間隔中にＬＢＴプロシージャを実行し得る。干渉がない場合、以前のＬＢＴタイムスロットにマッピングするグループｉｄをもつＢＳまたはＵＥは、ある時間期間の間チャネルを確保し得る。様々な展開によれば、異なる時間インデックスｔにわたって、マッピング｛ＦD/U（ｘ，ｔ），ｔ＝１，２，３，．．．｝は、異なるグループｉｄが、適切に長い時間間隔にわたって以前のＬＢＴタイムスロットにマッピングする等しい機会を有する（したがって、他の干渉がない場合にチャネルを確保する）ように変化するという意味において、マッピング関数は公平である。
【００６７】
[0075]場合によっては、同じネットワーク事業者（サービスプロバイダ）によって展開されるすべてのＢＳおよびＵＥは、それらが競合プロセスにおいて互いをプリエンプトしないように、同じグループｉｄを割り当てられ得る。これは、同じ展開のＢＳおよびＵＥの間で完全な周波数再利用を可能にし、拡張されたシステムスループットにつながり得る。異なる展開のＢＳおよび／またはＵＥは、直交ＬＢＴスロットマッピングの場合、チャネルへのアクセスが相互排他的になるように、異なるグループｉｄを割り当てられ得る。
【００６８】
[0076]非直交、または重複する、ＬＢＴスロットアクセスを用いる例では、マッピング関数は８つ以上のグループｉｄを可能にし得る。状況によっては、たとえば、８つ以上の展開グループｉｄをサポートすることは有用であり得、その場合、ＬＢＴスロットマッピング関数の直交性性質を維持することが可能でない。そのような場合、任意の２つのグループＩＤ間の衝突の頻度を減らすことが望ましいことがある。いくつかの例では、非直交ＬＢＴスロットマッピングシーケンスはまた、ＬＢＴ機会に関する緊密な協調なしに展開間の公平なチャネル共有を与えるために使用され得る。非直交ＬＢＴスロットマッピングシーケンスの一例は以下によって与えられる。
【００６９】
【数５】
0006374009.tif 000006
【００７０】
【数６】
0006374009.tif 000007
【００７１】
ただし、Ｒ1,7（ｘ，ｔ）は、ＧｒｏｕｐＩＤ  ｘについて独立して選択される１から７の間の擬似乱数生成器である。この場合、同じＬＢＴフレームｔ中で異なるＧｒｏｕｐＩＤのＢＳおよび／またはＵＥ間に潜在的な衝突があり得る。
【００７２】
[0077]ＵＥとの通信のいくつかのモードは、複数のチャネル（すなわち、コンポーネントキャリア）を利用し、各チャネルは、異なるコンポーネントキャリアを使用してＵＥといくつかのセルのうちの１つ（たとえば、場合によっては異なるＢＳであり得るサービングセル）との間に確立され得る。いくつかの例では、２つまたはそれ以上のセルは、キャリアアグリゲーションおよび／またはデュアル接続性（たとえば、マルチフロー）通信モードで見つけられ得るように、異なるキャリア周波数またはコンポーネントキャリアを使用し得る。他の例では、２つまたはそれ以上のセルは、多地点協調（ＣｏＭＰ）通信モードで見つけられ得るように、同じキャリア周波数のものであり得る。とにかく、各コンポーネントキャリアはＬＲＦＳまたはＳＲＦＳ上で使用され得、特定の通信モードに関与するコンポーネントキャリアのセットは、すべて（潜在的に無競合）ＬＲＦＳ上で受信されるか、すべて（競合ベース）ＳＲＦＳ上で受信されるか、またはＬＲＦＳとＳＲＦＳとの組合せ上で受信され得る。
【００７３】
[0078]上記で説明したように、ＳＲＦＳ上でコンポーネントキャリアを使用して通信を確立するために、ＬＢＴプロシージャ（Ｕ−ＬＢＴまたはＤ−ＬＢＴ）がＳＲＦＳへのアクセスを求めて競合するために実行され得る。ＬＢＴプロシージャが成功したとき、コンポーネントキャリアはＳＲＦＳにおける通信のために使用され得る。ＬＢＴプロシージャが失敗したとき、コンポーネントキャリアは使用されないことがある。
【００７４】
[0079]また、（たとえば、図１および図３に示されている）電気通信ネットワークシステムは、１つまたは複数の電力制御技法をサポートし得る。たとえば、ＬＴＥネットワークでは、電力制御は、ダウンリンク方向／アップリンク方向の両方について、サブフレームごとに実行され得る。場合によっては、ダウンリンク電力制御の場合、ダウンリンク電力制御技法は、サービングＢＳ／ｅノードＢが、ＵＥにシグナリングされる（たとえば、システム情報ブロック（ＳＩＢ１）中の）システム情報を介してＵＥに総送信電力をブロードキャストすることを含み得る。ＵＥは、受信信号強度、受信信号品質、経路損失などを含む、１つまたは複数の測定を実行するために、ＳＩＢ１中で受信された情報を使用し得る。ダウンリンク電力制御技法の他の例としては、ＰＤＳＣＨなどのための固定トラフィック対パイロット電力比（ＴＰＲ：traffic to pilot power ratio）を利用してＣＲＳ送信のためのリソース要素当たりのエネルギー（ＥＰＲＥ：energy per resource element）を電力ブーストすることがある。一例では、ＴＰＲは、ＣＲＳベースのＰＤＳＣＨのための高い変調次数（たとえば、１６ＱＡＭ以上）の場合固定され得、復調基準信号（ＤＭ−ＲＳ）ベースのＰＤＳＣＨの場合固定され得る。
【００７５】
[0080]アップリンク電力制御の場合、ＬＴＥは、たとえば、開ループベース方法と閉ループベース方法の両方をサポートし得る。ＰＵＳＣＨ電力制御の場合、累積電力制御モードと絶対電力制御モードの両方がサポートされ得る。ＰＵＣＣＨ電力制御の場合、累積電力制御がサポートされ得る。場合によっては、サウンディング基準信号（ＳＲＳ：sounding reference signal）のための電力制御は、ＰＵＳＣＨに相関され得る。しかしながら、この場合、ＳＲＳ電力制御は、ＳＲＳとＰＵＳＣＨとの間の電力オフセット、帯域幅差および他のファクタを考慮し得る。場合によっては、ＵＥは、使用されるべき特定の電力制御モードのために上位レイヤを介して構成され得る。
【００７６】
[0081]上述のように、ＬＢＴなどの技法は、ＳＲＦＳ帯域へのアクセスを獲得するための競合に勝つために、ＳＲＦＳ帯域を利用する電気通信ネットワークシステムにおいて利用され得る。しかしながら、これらの技法は、ＣＵＢＳ送信など、ＳＲＦＳ帯域中で送られる送信の電力を制御するための課題を提示し得る。
【００７７】
[0082]態様によれば、電気通信ネットワークシステム（たとえば、図１および図３に示されている電気通信ネットワークシステム１００および３００）中の１つまたは複数の装置（たとえば、ＵＥ、ＢＳ／ｅノードＢ、リレーなど）からのＳＲＦＳ帯域における送信の送信電力を制御することを可能にし得る様々な技法が本明細書で提供される。
【００７８】
[0083]図５および図６に、本開示の様々な態様による、（１つまたは複数のＬＲＦＳおよび／またはＳＲＦＳ帯域を利用する電気通信ネットワークシステムにおいて、たとえば、ＢＳ（たとえば、図１および図１４に示されているＢＳ／ｅノードＢ１１０、図３に示されているＢＳ／ｅノードＢ３１０など）によって実行され得る、ワイヤレス通信のための例示的なフローチャート５００および６００をそれぞれ示す。
【００７９】
[0084]最初に図５を参照すると、フローチャート５００は、５０２において、ＢＳが無線フレーム期間の少なくとも一部分の間、ＳＲＦＳ帯域への競合に勝つことから開始し、ここにおいて、無線フレーム期間は複数のサブフレーム期間を備える。５０４において、ＢＳは、第１の期間中に第１の送信電力で第１の信号を送信する。５０６において、ＢＳは、第２の期間中に第２の送信電力で第２の信号を送信し、ここにおいて、第１の送信電力および第２の送信電力は、無線フレーム期間に関して決定された電力レベルに少なくとも部分的に基づいて制御される。
【００８０】
[0085]本開示のいくつかの態様によれば、再び図４Ａおよび図４Ｂを参照すると、フレーム４１０の第１のダウンリンクサブフレーム（ＳＦ０）４２０中の送信電力と、フレーム４１０の第２のダウンリンクサブフレーム（ＳＦ１）中の送信電力とは、フレーム４１０に関して決定された電力レベルによって制御され得る。
【００８１】
[0086]たとえば、第１のダウンリンクサブフレーム（ＳＦ０）４２０中の送信電力と、第２のダウンリンクサブフレーム（ＳＦ１）４２０中の送信電力とは、フレーム４１０に関して決定された電力レベルに等しくなり得る。別の例では、すべてのダウンリンクサブフレーム（たとえば、ＳＦ０、ＳＦ１、ＳＦ２、ＳＦ３およびＳＦ４）４２０中の送信電力は、フレーム４１０に関して決定された電力レベルに等しくなり得る。場合によっては、フレーム４１０中のダウンリンクサブフレーム４２０にわたって同じ送信電力を有することは、一貫した干渉レベルが異なるダウンリンクサブフレーム４２０中で観測されることを保証するのに役立ち得る。場合によっては、ダウンリンクサブフレーム４２０にわたって同じ送信電力を有することによって、他のノード（たとえば、異なるＳＲＦＳ事業者、それらがセル上で通信されるフレーム４１０と同期されるのか同期されないのかにかかわらず）、および／または他のタイプのノード（たとえば、Ｗｉ−Ｆｉノード））への干渉は、同様に一貫していることがある。
【００８２】
[0087]場合によっては、フレームのための電力レベルは、複数の電力制御モードに少なくとも部分的に基づいて決定され得る。たとえば、複数の電力制御モードは、最大電力制御モード、調整可能電力制御モード、および／または他のタイプの電力制御モードを含み得る。フレームのための電力レベルは、フレームごとに動的に変化し得る。たとえば、第１のフレームは最大電力制御モードを有し得、第２のフレームは調整可能電力制御モードを有し得る。
【００８３】
[0088]いくつかの態様によれば、ＤＬ−ＣＵＢＳの送信電力は、フレームに関して決定された電力レベルに少なくとも部分的に基づいて制御され得る。たとえば、ＤＬ−ＣＵＢＳの送信電力は、フレームに関して決定された電力レベルに等しくなり得る。別の例では、ＤＬ−ＣＵＢＳの送信電力は、フレームの複数のダウンリンクサブフレームのうちの１つの送信電力に等しくなり得る。別の例では、（たとえば、ＳＦ９中で送信された）ＤＬ−ＣＵＢＳの送信電力と、すべてのダウンリンクサブフレーム（ＳＦ０、ＳＦ１、ＳＦ２、ＳＦ３およびＳＦ４）中の送信電力は、フレームに関して決定された電力レベルに等しくなり得る。
【００８４】
[0089]本開示のいくつかの態様によれば、ＤＬ−ＣＵＢＳのための送信電力は、ＵＥにシグナリングされた（たとえば、ＳＩＢ１中で送信された）システム情報によって決定され得る。たとえば、システム情報（たとえば、ＳＩＢ１）は、ＤＬ−ＣＵＢＳのための最大電力送信を示し得る。（たとえば、ＳＩＢ１中で示された）ＤＬ−ＣＵＢＳのための送信電力レベルは、時間とともに（たとえば、半静的に）変化し得る。たとえば、ＤＬ−ＣＵＢＳ、ダウンリンクサブフレームおよび／またはフレームのための送信電力レベルは、フレームごとに動的に変更され得る（または異なるＳＩＢ１中でより低い頻度で変更され得る）。たとえば、異なるＢＳ／ｅノードＢは、異なるフレームについて異なる送信電力レベルにおいて送信し得る。
【００８５】
[0090]図６中のフローチャート６００のブロック６０２を参照すると、通常（非ＣＵＢＳ）ＤＬサブフレームにおいてスケジュールされた限られた数の物理リソースブロック（ＰＲＢ：physical resource block）がある場合、（たとえば、図５のブロック５０６に従って送信電力を制御するときに）異なる無線フレームにわたって一貫した総電力を達成しようとして送信電力を制御するための様々なオプションがある。たとえば、６０４に示されているように、ＤＬサブフレームのために一貫した送信電力レベルを維持するための１つの技法は、追加の信号でダウンリンクサブフレームを補足することであり得る。ある場合には、ダウンリンクサブフレームは、帯域幅（たとえば、ＳＲＦＳ帯域中の帯域幅占有しきい値要件）を満たすためにチャネル占有信号で（たとえば、情報なしで）補足され得る。
【００８６】
[0091]ダウンリンクサブフレームのための一貫した送信電力を維持するための別の技法は、ダウンリンクサブフレームの送信持続時間を変化させることであり得る。たとえば、６０６において、ＢＳは、フレームのダウンリンクサブフレーム中の送信持続時間を調整する（たとえば、減少または増加させる）。一例では、ダウンリンクサブフレームは、ダウンリンクサブフレームの送信電力がＤＬ−ＣＵＢＳの送信電力および／またはフレームに関して決定された電力レベルよりも低いとき、短縮された送信持続時間を有する（たとえば、送信持続時間をサブフレームよりも短い持続時間に調整する）ように構成され得る。別の例では、ダウンリンクサブフレームは、ダウンリンクサブフレームの送信電力がＤＬ−ＣＵＢｓの送信電力および／またはフレームに関して決定された電力レベルよりも高いとき、より長い送信持続時間を有する（たとえば、送信持続時間をサブフレームよりも長い持続時間に調整する）ように構成され得る。
【００８７】
[0092]ダウンリンクサブフレームのための一貫した送信電力を維持するための別の技法は、６０８に示されているようにダウンリンクサブフレームの送信電力を増加させることであり得る。たとえば、ダウンリンクサブフレームの送信電力は、（たとえば、限られた数のＰＲＢを補償するために増加した電力を使用して）ＤＬ−ＣＵＢＳの送信電力および／またはフレームに関して決定された電力レベルに一致するように増加され得る。
【００８８】
[0093]ダウンリンクサブフレームのための一貫した送信電力を維持するための別の技法は、６１０に示されているように、実際に必要とされるよりも多くのリソースブロック（ＲＢ：resource block）をダウンリンクサブフレームのために割り当てることであり得る。一例では、ダウンリンクサブフレームの送信電力がＤＬ−ＣＵＢＳの送信電力および／またはフレームに関して決定された電力レベルよりも低い場合、（たとえば、実際に必要とされるよりも）大きい数のＲＢがダウンリンクサブフレームに割り当てられ得る。場合によっては、トランスポートブロックサイズ（ＴＢＳ：transport block size）は、依然として慣習的に（たとえば、ＬＴＥ／ＬＴＥ−Ａネットワークに従って）決定され得るが、増加した数のＲＢを利用するためにゼロパディングビットを有することが必要であり得る。代替として、場合によっては、増加した数のＲＢが割り当てられるとき、ＴＢＳはスケールダウンされ得る（それにより、ゼロパディングの必要をなくし得る）。
【００８９】
[0094]上記で説明した様々な技法は、ＤＬ−ＣＵＢＳの送信電力および／またはフレームに関して決定された電力レベルをもつダウンリンクサブフレームのための一貫した送信電力を維持するために、組み合わせられ得る。たとえば、ある場合には、ダウンリンクサブフレームのための一貫した送信電力を維持するために、（ブロック６０８に従って）電力増加することと、（ブロック６１０に従って）様々な数のＲＢを割り当てることとは組み合わせられ得る。
【００９０】
[0095]図７に、本開示の様々な態様による、（１つまたは複数の）ＬＲＦＳおよび／またはＳＲＦＳ帯域を利用するネットワークにおいて、たとえば、ＵＥ（たとえば、図１および図１５に示されているＵＥ１２０、図３に示されているＵＥ３２０など）によって実行され得る、ワイヤレス通信のための例示的なフローチャート７００を示す。フローチャート７００は、Ｄ−ＬＢＴ動作のためにＢＳによって実行されるフローチャート５００と同様であるが、Ｕ−ＬＢＴ動作のためにＵＥによって実行され得る。
【００９１】
[0096]７０２において、ＵＥは、無線フレーム期間の少なくとも一部分の間、ＳＲＦＳ帯域への競合に勝ち、ここにおいて、無線フレーム期間は複数のサブフレーム期間を備える。たとえば、上記で説明したように、一例では、ＵＥは、７０２において、ＳＲＦＳ帯域上にアクティビティがあるかどうかを決定するために（たとえば、Ｓサブフレームのシンボル６〜１２のうちの１つ中で）Ｕ−ＬＢＴプロシージャを実行し得る。
【００９２】
[0097]７０４において、ＵＥは、第１の信号のための第１の送信電力を決定する。たとえば、以下でさらに詳細に説明するように、第１の送信電力は、複数の電力制御モード、セル検出／発見、電力制御コマンド、ＵＥによる測定値などのうちの少なくとも１つに基づいて決定され得る。７０６において、ＵＥは、次いで、無線フレーム期間の第１のサブフレーム期間中に第１の送信電力で第１の信号を送信する。たとえば、本明細書で説明するように、第１の信号は、Ｓサブフレームのシンボル１３中でＵＥによって送信されたＵＬ−ＣＵＢＳであり得る。
【００９３】
[0098]７０８において、ＵＥは、無線フレーム期間に関して決定された電力レベルに少なくとも部分的に基づいて第２の信号のための第２の送信電力を決定する。たとえば、同じく以下でより詳細に説明するように、ＵＥは、複数の電力制御モード、ＵＥによる測定値、第１の送信電力などのうちの少なくとも１つに基づいて、第２の送信電力を決定する。７１０において、ＵＥは、無線フレーム期間の第２のサブフレーム期間中に第２の送信電力で第２の信号を送信する。
【００９４】
[0099]本開示のいくつかの態様によれば、たとえば、図４Ｂに示されているフレーム４１０を参照すると、アップリンク送信電力（たとえば、ＳＦ５中で送信されるＵＬ−ＣＵＢＳのための送信電力および／またはアップリンクサブフレーム４２２のための送信電力）は、複数の電力制御モード（たとえば、最大電力制御モード、調整可能電力制御モード、および／または他のタイプの電力制御モード）に少なくとも部分的に基づいて制御され得る。たとえば、電力制御モードは、チャネル状態、干渉状態および／または様々な展開シナリオに少なくとも部分的に基づいて複数の電力制御モードから決定され得る。電力制御モードはセルごとに構成され得る。たとえば、異なるセルは、異なる電力制御モードで構成され得る。別の例では、電力制御モードはＵＥごとに構成され得る。たとえば、異なるＵＥは、異なる電力制御モードで構成され得る。セルおよび／またはＵＥのための電力制御モード構成は時間とともに調整され得る。たとえば、電力制御モードは、半静的に調整されるか、または動的に調整され得る。
【００９５】
[0100]図８〜図１０に、本開示の様々な態様による、（たとえば、以下で説明する異なる電力制御モードに基づいて）ＵＥからのＵＬ−ＣＵＢＳの送信電力を制御するための例示的なシナリオを示す。図８〜図１０に示されているＵＥ８３０、９３０および１０３０は、それぞれ、図１および図１５に示されているＵＥ１２０、図３に示されているＵＥ３２０などのいずれかであり得る。同様に、図８〜図１０に示されているＣｅｌｌ＿１（たとえば、Ｃｅｌｌ＿１  ８１０、Ｃｅｌｌ＿１  ９１０およびＣｅｌｌ＿１  １０１０）、およびＣｅｌｌ＿２（たとえば、Ｃｅｌｌ＿２  ８２０、Ｃｅｌｌ＿２  ９２０およびＣｅｌｌ＿２  １０２０）のためのＢＳは、図１および図１４に示されているＢＳ／ｅノードＢ１１０、図３に示されているＢＳ／ｅノードＢ３１０などのいずれかであり得る。
【００９６】
[0101]最初に図８を参照すると、ＵＥ８３０は、ＵＥが競合に勝っており、Ｃｅｌｌ＿１中のＵＬ送信のためのＳＲＦＳ帯域を占有／予約することになることを他のＵＥおよび／または装置（Ｃｅｌｌ＿１  ８１０およびＣｅｌｌ＿２  ８２０など）に示すためにＵＬ−ＣＵＢＳを送信し得る。たとえば、ＵＬ−ＣＵＢＳは（たとえば、最大電力制御モードに従って）最大電力で送信され得る。最大電力で送信することは、たとえば、ＵＬ−ＣＵＢＳが、場合によってはＵＥとＣｅｌｌ＿１との間の送信を送信し、それに干渉し得る他のセル（たとえば、Ｃｅｌｌ＿２）によって検出されることを保証するのに役立ち得る。
【００９７】
[0102]図９Ａおよび図９Ｂに、本開示の様々な態様による、ＵＥ９３０からのＵＬ−ＣＵＢＳのための送信電力が調整可能電力制御モードに少なくとも部分的に基づいて（たとえば、動的に調整可能な送信電力を用いて）制御され得る別の例を示す。ＵＬ−ＣＵＢＳのための送信電力を動的に調整することは、ＵＥによる不要な電力消費を回避するのに役立ち得る。
【００９８】
[0103]図９Ａに示されているように、ＵＥが（たとえば、それのロケーション、経路損失測定値などに基づいて決定されるように）Ｃｅｌｌ＿１に近接しているが、Ｃｅｌｌ＿２からより遠くに離れている間、ＵＥは第１の電力レベル（たとえば、Ｐｏｗｅｒ＿１）でＵＬ−ＣＵＢＳを送信し得る。言い換えれば、第１の電力レベルは、調整可能電力制御モードを使用するときに（セル基地局に対する）ＵＥロケーションに基づいて決定され得る。図示の例では、第１の電力レベルは、より低い電力レベルがＣｅｌｌ＿１による検出に十分であるにもかかわらず、ＵＬ−ＣＵＢＳがＣｅｌｌ＿２によって検出されるのに十分になるように選択され得る。
【００９９】
[0104]図９Ｂに示されているように、ＵＥがＣｅｌｌ＿１とＣｅｌｌ＿２との間で移動するので、ＵＥはＵＬ−ＣＵＢＳの送信電力を動的に調整し得る。たとえば、図示の例では、ＵＥがＣｅｌｌ＿２のより近くに移動する（およびＣｅｌｌ＿１に比較的近いままである）ので、ＵＥは、第１の電力レベルよりも低い第２の電力レベル（たとえば、Ｐｏｗｅｒ＿２）でＵＬ−ＣＵＢＳを送信し得る。第２の電力レベルは、Ｃｅｌｌ＿１とＣｅｌｌ＿２の両方がＵＬ−ＣＵＢＳを検出するのに十分になるように選択され得る。
【０１００】
[0105]図１０Ａに示されているように、いくつかのシナリオでは、ＵＥ８３０が最大電力でＵＬ−ＣＵＢＳを送信するときでも、Ｃｅｌｌ＿２（または他のセル）はＵＬ−ＣＵＢＳを検出しないことがあり、その結果、ＵＥ８３０からＣｅｌｌ＿１へのアップリンク通信は依然としてＣｅｌｌ＿２からの干渉を経験し得る。この干渉は、たとえば、Ｃｅｌｌ＿１およびＣｅｌｌ＿２が同じＳＲＦＳ帯域にアクセスすることを試み、Ｃｅｌｌ＿２が異なるＭＮＯに属する（たとえば、非同期であり得る）か、またはＷｉ−Ｆｉノードである場合、発生し得る。
【０１０１】
[0106]図１０Ｂに、Ｃｅｌｌ＿１からの送信可（ＣＴＳ：Clear-to-Send）送信を利用することによる、この問題に対する１つの潜在的ソリューションを示す。言い換えれば、（最大電力で送信されたのか、何らかの他の電力レベルで送信されたのかにかかわらず）ＵＥ１０３０からのＵＬ−ＣＵＢＳを検出したことに応答して、Ｃｅｌｌ＿１のＢＳ／ｅノードＢ１０１０は、ＵＥ１０３０のためのＳＲＦＳ帯域の通信チャネルを予約するためにＣＴＳ信号（たとえば、ＢＳ／ｅノードＢ１０１０によるＣＴＳ送信）を送信し得る。ＢＳ／ｅノードＢ１０１０がＵＥ１０３０よりも少ない電力制約を有し得るので、ＣＴＳ信号は、それがＣｅｌｌ＿２（および他のネイバリングセル）のＢＳ／ｅノードＢ１０２０によって検出されることを保証するために十分な電力レベルで送信され得る。ＢＳ／ｅノードＢ１０１０は、ＵＬ−ＣＵＢＳを受信したことに応答して（またはＣｅｌｌ＿２がＵＬ−ＣＵＢＳを受信しなかったという何らかの指示を受信した後に）ＣＴＳ信号を送信し得る。ＣＴＳ信号形式は、たとえば、ＬＴＥ／ＬＴＥ−Ａネットワークに基づき得、Ｗｉ−Ｆｉネットワーク中で使用される同様のメッセージと同じであるか、または異なり得る。
【０１０２】
[0107]場合によっては、ＵＬ−ＣＵＢＳのための送信電力レベルはまた、セル検出／発見に基づき得る。言い換えれば、ＵＥが他のセルを検出しない（またはある程度の時間量の間他のセルを検出しなかった）場合、ＵＥは、サービングセルによる検出に十分であり得る電力レベルでＵＬ−ＣＵＢＳを送信し得る。ＵＥは、次いで、それが他のセルを検出するように適宜に、電力レベルを調整し得る。
【０１０３】
[0108]いくつかの態様によれば、アップリンク送信電力（たとえば、ＵＬ−ＣＵＢＳの送信電力）を制御する調整可能電力制御モードは、ＵＬ−ＣＵＢＳ閉ループ送信電力制御をＰＵＳＣＨの送信電力に関連付けることによって構成され得る。たとえば、ＵＬ−ＣＵＢＳ閉ループ送信電力制御がＰＵＳＣＨの送信電力に関連付けられたとき、ＵＬ−ＣＵＢＳあるいはＰＵＳＣＨの送信電力または電力パラメータのいずれかは、ＵＬ−ＣＵＢＳおよびＰＵＳＣＨのための送信電力または電力パラメータを決定し得る。いくつかの態様によれば、ＵＬ−ＣＵＢＳの送信電力は、ＰＵＳＣＨの送信電力に基づくオフセットを有するＵＬ−ＣＵＢＳの開ループパラメータに少なくとも部分的に基づいて決定され得る。ＵＬ−ＣＵＢＳの送信電力の制御をＰＵＳＣＨの送信電力に関連付けることの代替として、ＵＬ−ＣＵＢＳ閉ループ電力制御は、独立して決定または管理され得る。いくつかの態様によれば、ＵＬ−ＣＵＢＳの送信電力は、ＵＬ−ＣＵＢＳ開ループ電力制御によって制御され得る。
【０１０４】
[0109]追加または代替として、いくつかの態様によれば、アップリンク送信電力は、ＵＥによって与えられる測定値に少なくとも部分的に基づいて制御され得る。言い換えれば、ＵＥは、（たとえば、図１１に従ってＢＳによって指示されるように、または図１３に従って自律的に）ＵＥ測定値に基づいて、（たとえば、図７のブロック７０６に従って）アップリンク送信電力を制御し得る。
【０１０５】
[0110]たとえば、図１１は、本開示の様々な態様による、たとえば、ＵＥ（たとえば、図１および図１５に示されているＵＥ１２０、図３に示されているＵＥ３２０、図１２に示されているＵＥ１２３０など）によって実行され得るワイヤレス通信のための例示的なフローチャート１１００を示している。フローチャート１１００は、（図１２を参照しながら以下でより詳細に説明するように）ＵＥによって与えられる測定値に少なくとも部分的に基づいてアップリンク送信電力を制御するためにＵＥによって実行され得る。
【０１０６】
[0111]１１０２において、ＵＥは、１つまたは複数のネイバリングセルの信号強度を測定する。１１０４において、ＵＥは、１つまたは複数のネイバリングセルの測定された信号強度をサービングセルに報告する。１１０６において、ＵＥは、報告された測定値に基づいてサービングセルにおいて決定されたターゲット電力レベルの指示を受信する。
【０１０７】
[0112]図１２に、本開示の様々な態様による、ＵＥによる測定値に基づいて（たとえば、ＵＬ−ＣＵＢＳおよび／またはアップリンクサブフレームのための）アップリンク送信電力を制御するための例示的なシナリオを示す。ＵＥ１２３０は、図１および図１５に示されているＵＥ１２０、図３に示されているＵＥ３２０などのいずれかであり得る。同様に、図１２に示されているＣｅｌｌ＿１  １２１０およびＣｅｌｌ＿２  １２２０のためのＢＳは、図１および図１４に示されているＢＳ／ｅノードＢ１１０、図３に示されているＢＳ／ｅノードＢ３１０などのいずれかであり得る。
【０１０８】
[0113]図１２に示されている例では、ＭＮＯ（たとえば、Ｃｅｌｌ＿１  １２１０）によって展開されるサービングセルに関連するＵＥ１２３０は、サービングセルとは異なるＭＮＯまたは異なるＲＡＴ（たとえば、Ｗｉ−Ｆｉ）に属するネイバリングセル（たとえば、Ｃｅｌｌ＿２  １２２０）の信号強度を測定し、ネイバリングセルの信号強度を（たとえば、測定報告１２２２中で）サービングセルに報告し得る。本開示の様々な態様によれば、サービングセルはまた、報告された（１つまたは複数の）ネイバリングセルの測定（たとえば、経路損失）を実行し得る。たとえば、サービングセルおよび／またはＵＥは、たとえば、ブロードキャスト信号送信（たとえば、１つまたは複数のネイバリングセルのＣＣＡ免除送信（ＣＥＴ：CCA exempt transmission））中に異なるＭＮＯによって動作させられる１つまたは複数のネイバリングセルの測定を実行し得る（たとえば、信号強度、経路損失などを測定し得る）。ＵＥのＵＬ送信電力は、ＵＥによって与えられる１つまたは複数のネイバリングセルの測定値と、サービングセルによって実行される１つまたは複数のネイバリングセルの測定値とに少なくとも部分的に基づいて制御され得る。図１２に示されているように、ＵＥは、サービングセルからＵＬ送信電力制御の指示を（たとえば、電力調整コマンド１２２４中で）受信し得る。たとえば、ＵＬ送信電力は、ＵＥによって検出されたネイバリングセルの経路損失測定値と、サービングセルによって検出されたネイバリングセルの経路損失測定値との間の経路損失差に少なくとも部分的に基づいて制御され得る。
【０１０９】
[0114]代替的に、いくつかの態様によれば、ＵＥは、ネイバリングセルのＵＥの測定値に基づいて電力制御調整を自律的に実行し得る。図１３は、たとえば、本開示の様々な態様による、たとえば、ＵＥ（たとえば、図１および図１５に示されているＵＥ１２０、図３に示されているＵＥ３２０など）によって実行され得るワイヤレス通信のための例示的なフローチャート１３００を示している。フローチャート１３００は、（たとえば、図１１および図１２を参照しながら説明したように、ＢＳから測定報告に基づくコマンドを受信することとは対照的に）ネイバリングセルのＵＥの測定値に基づいて電力制御調整を自律的に実行するためにＵＥによって実行され得る。
【０１１０】
[0115]１３０２において、ＵＥは、１つまたは複数のネイバリングセルの信号強度を測定する。１３０４において、１つまたは複数のネイバリングセルの測定された信号強度をサービングセルに報告することと、サービングセルから、報告された測定値に基づくターゲット電力コマンドを受信することとの代わりに、ＵＥは、１つまたは複数のネイバリングセルの測定された信号強度に少なくとも部分的に基づいて第１の送信電力と第２の送信電力とを自律的に決定する。
【０１１１】
[0116]いくつかの態様によれば、セルが（たとえば、異なる事業者間でも）同期動作の下で展開されるとき、ダウンリンク通信とアップリンク通信とのための送信電力はフレーム内のサブフレームにわたって変動し得る。たとえば、セルが同期動作の下で展開されるとき、セルは、セルが同期させられ、それらのＣＣＡ機会は整合させられ得、したがって、あるセルは、別のセルからのシグナリングを検出し、検出に基づいて、ＳＲＦＳ帯域を使用してアクセスおよび送信することを控え得るので、（上記で説明したような）隠れノード問題を経験しないことがある。
【０１１２】
[0117]本開示のいくつかの態様によれば、アップリンクサブフレームのための送信電力は、フレームの複数の電力制御モード（たとえば、最大電力制御モード、調整可能電力制御モード、および／または他のタイプの電力制御モード）のうちの１つまたは複数に基づいて制御され得る。たとえば、アップリンクサブフレームは、フレームが最大電力制御モードで動作すると決定されたとき、最大電力で送信するように構成され得る。別の例では、フレームが調整可能電力制御モードで動作すると決定されたとき、アップリンクサブフレームは、調整可能な電力で送信するように構成され得る。いくつかの態様によれば、様々なアップリンクサブフレームのための送信電力は異なり得る。異なるアップリンクサブフレームのための送信電力は、異なるサブフレームの各々のための異なる割当て、および／またはリソース割振りにより異なり得る。たとえば、異なるアップリンクサブフレームのための送信電力は、異なるアップリンクサブフレームの各々に割り当てられたＵＬチャネルの様々な組合せ（たとえば、ＰＵＣＣＨ、ＰＵＳＣＨ、またはその両方の組合せ）、および／またはチャネルのための異なるリソース割振り（たとえば、異なるサブフレーム中のＰＵＳＣＨのためのＰＲＢの異なる数）により異なり得る。たとえば、異なる送信電力が異なるアップリンクサブフレームのために使用されるとき、電力スペクトル密度（ＰＳＤ：power spectral density）が調整され得る。
【０１１３】
[0118]いくつかの態様によれば、符号分割多重化（ＣＤＭ：code division multiplexing）がＰＵＣＣＨのために使用されるとき、異なるＵＥのための同等の受信電力レベルを維持することが望ましいことがある。たとえば、ＰＵＳＣＨのための最大送信電力を維持し、ＰＵＣＣＨのための送信電力を動的に調整することが可能であり得る。いくつかの態様によれば、アップリンクサブフレームの送信電力は、ＰＵＳＣＨを使用する（たとえば、ＰＵＣＣＨが使用されないことがある）アップリンク制御情報（ＵＣＩ：uplink control information）動作によって制御され得る。たとえば、ＵＣＩはＰＵＳＣＨによって送信され得る（たとえば、ＵＣＩを送信するためにＰＵＳＣＨリソースを使用し、ＰＵＳＣＨ上で多重化されない）。
【０１１４】
[0119]いくつかの態様によれば、アップリンク送信電力は基地局によって決定されるか、またはＵＥによって独立して決定され得る。たとえば、電力制御コマンドは基地局からＵＥにシグナリングされ得る。電力制御コマンドは、無線フレームに関して決定された電力レベル（たとえば、複数の電力制御モードのうちのいずれか１つ）をＵＥに示し得る。たとえば、電力制御コマンドは、ＣＥＴおよび／またはＣＣＡベースサブフレーム（たとえば、ＳＦ５サブフレームおよび／またはＳＦ９サブフレーム）中でシグナリングされ得る。電力制御がセルのために構成されたとき、電力制御コマンドは、セルのためのグループ電力制御の形態でブロードキャストされ得る。電力制御がＵＥのために構成されたとき、電力制御コマンドはＵＥにユニキャストされ得る。いくつかの態様によれば、電力制御コマンドは電力制御モードに少なくとも部分的に基づき得る。電力制御コマンドは、電力制御モードが最大電力制御モードであるとき、最大送信電力を示し得る。電力制御コマンドは、電力制御モードが調整可能電力制御モードであるとき、可変送信電力を示し得る。たとえば、ＰＵＳＣＨのための最大ＵＬ電力レベルが実施されるが、ＰＵＣＣＨが依然として電力制御を受ける場合、すべてのダウンリンク制御情報（ＤＣＩ）（たとえば、ＤＬ／ＵＬ許可）はＰＵＣＣＨのための電力制御コマンドを有し得る。
【０１１５】
[0120]電力制御コマンドは、所与の無線フレーム内の異なるサブフレーム中でシグナリングされ得る。そのような場合、ＵＥは、電力制御コマンドをいつ適用すべきかを決定する必要があり得る。いくつかの態様によれば、電力制御コマンドは、アップリンク送信の最初に、またはアップリンク送信の最中に（たとえば、サブフレームまたは無線フレームの最中に）適用され得る。いくつかの態様によれば、複数の電力制御コマンドは受信および記憶され得、複数の電力制御コマンドは、フレーム境界においてまたはそれの後に（たとえば、無線フレームの最後に）適用され得る。いくつかの態様によれば、電力制御コマンドは、無線フレームの最中に省略され得る（たとえば、電力制御コマンドを適用しないことがある）。一態様では、電力制御コマンドは、無線フレームの最初に直ちに適用され得る。一態様では、電力制御コマンドは、電力制御モードに変化があったとき、適用され得る。
【０１１６】
[0121]いくつかの態様によれば、アップリンクキャリアアグリゲーション（ＣＡ）シナリオにおいて、電力制御が実行され得る。アップリンクＣＡシナリオでは、アップリンク送信のために、１つまたは複数のコンポーネントキャリア（ＣＣ）がＵＥに割り当てられ得る。たとえば、電力限定シナリオ（たとえば、最大送信電力を条件とする送信）の場合、（たとえば、電力スケーリングの後に）ＵＬ−ＣＵＢＳおよび通常（非ＣＵＢＳ）アップリンクサブフレームのための一貫した送信電力が各ＣＣについて維持されることを保証しようとして、電力スケーリングが実行され得る。いくつかの態様によれば、ＬＲＦＳにおけるＬＴＥ／ＬＴＥ−Ａ電力優先度付けがＳＲＦＳにおける電力優先度付けに適用された場合、ＵＬ−ＣＵＢＳのための送信電力スケーリングは、アップリンクサブフレーム中のＰＵＣＣＨ／ＰＵＳＣＨのために電力スケーリングがどのように行われるかを知るか、または予測する必要があり得る。いくつかの態様によれば、ＣＣにわたる等電力スケーリングは、アップリンクサブフレーム中でＵＬ−ＣＵＢＳとチャネル（たとえば、ＰＵＣＣＨおよび／またはＰＵＳＣＨ）の両方のために適用され得る。いくつかの態様によれば、ＣＣにわたる等電力スケーリングは、異なるチャネルタイプ間の区別なしに適用され得る。
【０１１７】
[0122]いくつかの態様によれば、ＰＳＤと総電力制約の両方を扱うように設計された様式で、電力ヘッドルーム報告（ＰＨＲ：power headroom report）が生成され得る。たとえば、ＰＨＲは、ＰＳＤヘッドルームの最小値および／または総電力ヘッドルームを示し得、それは、コンポーネントキャリアのための最大送信電力（ＰCMAX,C）報告に基づいて導出され得る。たとえば、ＰＨＲは、ＵＥに割り当てられた各ＣＣについて、複数のタイプのＰCMAX,C（たとえば、タイプ１：ＰCMAX,C−ＰＵＳＣＨ電力、タイプ２：ＰCMAX,C−ＰＵＣＣＨ電力−ＰＵＳＣＨ電力）を報告することをサポートし得る。いくつかの態様によれば、別個のＰＳＤヘッドルーム報告および電力ヘッドルーム報告が可能であり得る。
【０１１８】
[0123]いくつかの態様によれば、物理ランダムアクセスチャネル（ＰＲＡＣＨ：physical random access channel）送信の送信電力も制御され得る。ＰＲＡＣＨ送信の送信電力を制御するために様々な技法が使用され得る。１つの技法は、最大電力（たとえば、最大電力制御モード）でＰＲＡＣＨを送信することであり得る。ＰＲＡＣＨ送信が最大電力（たとえば、最大電力制御モード）で送信されるが、依然として（１つまたは複数の）失敗した試みを生じるとき、繰り返しランプアップが実行され得る（たとえば、ＰＲＡＣＨの後続の送信において、最大電力であるが、より長い持続時間の間、同じＰＲＡＣＨ送信を繰り返し得る）。たとえば、第１の試みに関して、１つの送信時間間隔（ＴＴＩ：transmission time interval）が使用され得、第１の試みが失敗した場合、第２の試みに関して、２つのＴＴＩが使用され得る。同様に、第２の試みが失敗した場合、第３の試みに関して、３つのＴＴＩが使用され得るなどである。（繰り返される）ＰＲＡＣＨ送信のために利用可能なＴＴＩの数は、無線フレーム中のアップリンクサブフレーム中での利用可能性に従い得る。
【０１１９】
[0124]ＰＲＡＣＨ送信の送信電力を制御するための別の技法は、調整可能な送信電力（たとえば、調整可能電力制御モード）を用いてＰＲＡＣＨを送信することであり得る。たとえば、ＳＲＦＳ帯域におけるＰＲＡＣＨ送信のための電力レベルは、（たとえば、経路損失測定値に基づいて）ＬＲＦＳにおけるＰＲＡＣＨ送信のための電力レベルのために同様に決定され得る。（たとえば、失敗した試み中の）再送信のための電力ランプアップは、調整可能電力制御モードでサポートされ得る。ＰＲＡＣＨの送信電力を制御するための別の技法は、上記で説明したように、調整可能電力制御モードと（たとえば、失敗した試み中の）再送信のための繰り返しランプアップとの組合せを有することであり得る。いくつかの態様によれば、ＰＲＡＣＨ送信の送信電力は、ＵＬ−ＣＵＢＳの電力レベルに少なくとも部分的に基づいて制御され得る。たとえば、ＰＲＡＣＨの送信電力は、ＵＬ−ＣＵＢＳの送信電力と同じであり得る。
【０１２０】
[0125]図１４を参照すると、ＳＲＦＳ帯域動作のために構成されたＢＳまたはｅＮＢ１１０ａを示す図１４００が示されている。ＢＳ／ｅノードＢ１１０ａ、ＢＳ／ｅノードＢ１１０ｂ、ＢＳ／ｅノードＢ１１０ｃ、またはそれらの組合せは、図１〜図６および図８〜図１２に関して上記で説明した特徴および機能のうちの少なくともいくつかを実装するように構成され得る。たとえば、ＢＳ／ｅノードＢ１１０ａ、１１０ｂ、１１０ｃ、またはそれらの組合せは、図５および図６にそれぞれ示されているフローチャート５００および６００を実行することが可能であり得る。ＢＳ／ｅノードＢ１１０ａ、１１０ｂ、１１０ｃ、またはそれらの組合せは、プロセッサモジュール１４１０と、メモリモジュール１４２０と、トランシーバモジュール１４６０と、アンテナ１４４０と、送信モードモジュール１４９０とを含み得る。ＢＳ／ｅノードＢ１１０ａ、１１０ｂ、１１０ｃ、またはそれらの組合せはまた、通信管理モジュール１４５０とネットワーク通信モジュール１４７０の一方または両方を含み得る。これらの構成要素の各々は、１つまたは複数のバスを介して、直接的または間接的に互いに通信していることがある。
【０１２１】
[0126]メモリモジュール１４２０はＲＡＭとＲＯＭとを含み得る。メモリモジュール１４２０は、実行されたとき、ＳＲＦＳ帯域におけるＬＴＥベース通信を使用するための本明細書で説明する様々な機能をプロセッサモジュール１４１０に実行させるように構成された命令を含んでいるコンピュータ可読、コンピュータ実行可能ソフトウェア（ＳＷ）コード１４２４を記憶し得る。代替的に、ソフトウェアコード１４２４は、プロセッサモジュール１４１０によって直接的に実行可能でないことがあるが、たとえば、コンパイルされ実行されたとき、コンピュータに本明細書で説明する機能を実行させるように構成され得る。
【０１２２】
[0127]プロセッサモジュール１４１０は、インテリジェントハードウェアデバイス、たとえば、ＣＰＵ、マイクロコントローラ、ＡＳＩＣなどを含み得る。プロセッサモジュール１４１０は、トランシーバモジュール１４６０、通信管理モジュール１４５０、および／またはネットワーク通信モジュール１４７０を通して受信された情報を処理し得る。プロセッサモジュール１４１０はまた、アンテナ１４４０を介した送信のためにトランシーバモジュール１４６０に送られ、通信管理モジュール１４５０に送られ、および／またはネットワーク通信モジュール１４７０に送られるべき情報を処理し得る。プロセッサモジュール１４１０は、単独でまたは送信モードモジュール１４９０とともに、ＳＲＦＳ帯域においてＬＲＦＳ帯域ベース通信を使用する様々な態様を処理し得る。
【０１２３】
[0128]トランシーバモジュール１４６０は、パケットを変調し、変調されたパケットを送信のためにアンテナ１４４０に与え、アンテナ１４４０から受信されたパケットを復調するように構成された、モデムを含み得る。トランシーバモジュール１４６０は、１つまたは複数の送信機モジュールおよび１つまたは複数の別個の受信機モジュールとして実装され得る。トランシーバモジュール１４６０は、ＬＲＦＳ帯域（たとえば、ＬＴＥ）およびＳＲＦＳ帯域における通信をサポートし得る。トランシーバモジュール１４６０は、アンテナ１４４０を介して１つまたは複数のＵＥ１２０と双方向に通信するように構成され得る。ＢＳ／ｅノードＢ１１０ａは、通常、複数のアンテナ１４４０（たとえば、アンテナアレイ）を含み得る。ＢＳ／ｅノードＢ１１０ａは、ネットワーク通信モジュール１４７０を通してネットワークコントローラ１３０−ａと通信し得る。ＢＳ／ｅノードＢ１１０ａは、通信管理モジュール１４５０を使用して、ＢＳ／ｅノードＢ１１０ｂおよびＢＳ／ｅノードＢ１１０ｃなどの他のＢＳと通信し得る。
【０１２４】
[0129]通信管理モジュール１４５０は、局および／または他のデバイスとの通信を管理し得る。通信管理モジュール１４５０は、１つまたは複数のバスを介してＢＳ／ｅノードＢ１１０ａの他の構成要素の一部または全部と通信していることがある。代替的に、通信管理モジュール１４５０の機能は、トランシーバモジュール１４６０の構成要素として、コンピュータプログラム製品として、および／またはプロセッサモジュール１４１０の１つまたは複数のコントローラ要素として実装され得る。
【０１２５】
[0130]送信モードモジュール１４９０は、ＳＲＦＳ帯域における通信を実行することに関して上記で説明した機能または態様の一部または全部を実行および／または制御するように、構成され得る。たとえば、送信モードモジュール１４９０は、補足ダウンリンクモード、キャリアアグリゲーションモード、および／またはスタンドアロンモードをサポートするように構成され得る。送信モードモジュール１４９０は、ＬＲＦＳ帯域通信を扱うように構成されたＬＲＦＳ送信モードモジュール１４９２と、ＳＲＦＳ帯域通信を扱うように構成されたＳＲＦＳ送信モードモジュール１４９４とを含み得る。送信モードモジュール１４９０またはそれの部分はプロセッサであり得る。その上、送信モードモジュール１４９０の機能の一部または全部は、プロセッサモジュール１４１０によって、および／またはプロセッサモジュール１４１０とともに実行され得る。
【０１２６】
[0131]図１５を参照すると、ＳＲＦＳ帯域動作のために構成されたＵＥ１２０を示す図１５００が示されている。ＵＥ１２０は、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダーなどを含むか、またはそれらの一部であり得る。ＵＥ１２０は、モバイル動作を可能にするために、小型バッテリーなどの内蔵電源（図示せず）を有し得る。ＵＥ１２０は、上記で説明した図１〜図４および図７〜図１３に関して上記で説明した特徴および機能のうちの少なくともいくつかを実装するように構成され得る。
【０１２７】
[0132]ＵＥ１２０は、プロセッサモジュール１５１０と、メモリモジュール１５２０と、トランシーバモジュール１５４０と、アンテナ１５５０と、送信モードモジュール１５６０とを含み得る。これらの構成要素の各々は、１つまたは複数のバスを介して、直接的または間接的に互いに通信していることがある。
【０１２８】
[0133]メモリモジュール１５２０は、ランダムアクセスメモリ（ＲＡＭ）と読取り専用メモリ（ＲＯＭ）とを含み得る。メモリモジュール１５２０は、実行されたとき、ＳＲＦＳ帯域において通信するための本明細書で説明する様々な機能をプロセッサモジュール１５１０に実行させるように構成された命令を含んでいるコンピュータ可読、コンピュータ実行可能ソフトウェア（ＳＷ）コード１５２４を記憶し得る。代替的に、ソフトウェアコード１５２４は、プロセッサモジュール１５１０によって直接的に実行可能でないことがあるが、（たとえば、コンパイルされ実行されると）コンピュータに本明細書で説明する機能を実行させるように構成され得る。
【０１２９】
[0134]プロセッサモジュール１５１０は、インテリジェントハードウェアデバイス、たとえば、中央処理ユニット（ＣＰＵ）、マイクロコントローラ、特定用途向け集積回路（ＡＳＩＣ）などを含み得る。プロセッサモジュール１５１０は、トランシーバモジュール１５４０を通して受信された情報、および／またはアンテナ１５５０を介した送信のためにトランシーバモジュール１５４０に送られるべき情報を処理し得る。プロセッサモジュール１５１０は、単独でまたは送信モードモジュール１５６０とともに、ＳＲＦＳ帯域においてＬＲＦＳ帯域ベース通信を使用する様々な態様を処理し得る。
【０１３０】
[0135]トランシーバモジュール１５４０は、基地局（たとえば、ＢＳ／ｅノードＢ１１０）と双方向に通信するように構成され得る。トランシーバモジュール１５４０は、１つまたは複数の送信機モジュールおよび１つまたは複数の別個の受信機モジュールとして実装され得る。トランシーバモジュール１５４０は、ＬＲＦＳ帯域（たとえば、ＬＴＥ）およびＳＲＦＳ帯域における通信をサポートし得る。トランシーバモジュール１５４０は、パケットを変調し、変調されたパケットを送信のためにアンテナ１５５０に与え、アンテナ１５５０から受信されたパケットを復調するように構成された、モデムを含み得る。ＵＥ１２０は単一のアンテナを含み得るが、ＵＥ１２０が複数のアンテナ１５５０を含み得る実施形態があり得る。
【０１３１】
[0136]図１５のアーキテクチャによれば、ＵＥ１２０は通信管理モジュール１５３０をさらに含み得る。通信管理モジュール１５３０は様々なアクセスポイントとの通信を管理し得る。通信管理モジュール１５３０は、１つまたは複数のバス上でＵＥ１２０の他の構成要素の一部または全部と通信しているＵＥ１２０の構成要素であり得る。代替的に、通信管理モジュール１５３０の機能は、トランシーバモジュール１５４０の構成要素として、コンピュータプログラム製品として、および／またはプロセッサモジュール１５１０の１つまたは複数のコントローラ要素として実装され得る。
【０１３２】
[0137]送信モードモジュール１５６０は、ＳＲＦＳ帯域におけるＬＲＦＳ帯域ベース通信を使用することに関して上記で説明した機能または態様の一部または全部を実行および／または制御するように、構成され得る。たとえば、送信モードモジュール１５６０は、補助ダウンリンクモード、キャリアアグリゲーションモード、および／またはスタンドアロンモードをサポートするように構成され得る。送信モードモジュール１５６０は、ＬＲＦＳ帯域通信を扱うように構成されたＬＲＦＳ送信モードモジュール１５６２と、ＳＲＦＳ帯域通信を扱うように構成されたＳＲＦＳ送信モードモジュール１５６４とを含み得る。送信モードモジュール１５６０またはそれの部分はプロセッサであり得る。その上、送信モードモジュール１５６０の機能の一部または全部は、プロセッサモジュール１５１０によって、および／またはプロセッサモジュール１５１０とともに実行され得る。
【０１３３】
[0138]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３４】
[0139]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【０１３５】
[0140]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、計算デバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１３６】
[0141]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取ることができ、記憶媒体に情報を書き込むことができるように、プロセッサに結合される。代替として、記憶媒体はプロセッサと一体であり得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１３７】
[0142]１つまたは複数の例示的な設計では、説明した機能は、ハードウェア、ソフトウェア、ファームウェア、またはそれらの組合せで実装され得る。ソフトウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１３８】
[0143]本明細書で使用する「ａまたはｂのうちの少なくとも１つ」という表現は、ａ、ｂ、またはａとｂの両方の組合せを含むように意図されている。
【０１３９】
[0144]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に、本願の出願当初の特許請求の範囲に記載された発明を付記する。
［Ｃ１］
基地局（ＢＳ）による、共有無線周波数スペクトル（ＳＲＦＳ）帯域上のワイヤレス通信のための方法であって、
無線フレーム期間の少なくとも一部分の間、前記ＳＲＦＳ帯域への競合に勝つことと、ここにおいて、前記無線フレーム期間が複数のサブフレーム期間を備える、
第１の期間中に第１の送信電力で第１の信号を送信することと、
第２の期間中に第２の送信電力で第２の信号を送信することと、ここにおいて、前記第１の送信電力および前記第２の送信電力が、前記無線フレーム期間に関して決定された電力レベルに少なくとも部分的に基づいて制御される、を備える、方法。
［Ｃ２］
前記ＳＲＦＳ帯域が無認可無線周波数スペクトル（ＵＲＦＳ）帯域を備える、Ｃ１に記載の方法。
［Ｃ３］
前記第１の送信電力および前記第２の送信電力が同じ送信電力レベルである、Ｃ１に記載の方法。
［Ｃ４］
前記第１の期間中に送信される前記第１の信号がダウンリンクチャネル使用ビーコン信号（ＤＬ−ＣＵＢＳ）を備える、Ｃ１に記載の方法。
［Ｃ５］
前記第２の送信電力が、前記無線フレーム期間のダウンリンクサブフレーム中でダウンリンク信号と補足信号とを送信すること、前記無線フレーム期間の前記ダウンリンクサブフレーム中の送信持続時間を調整すること、前記無線フレーム期間の前記ダウンリンクサブフレーム中で送信される信号を電力増加させること、または前記無線フレーム期間の前記ダウンリンクサブフレーム中での送信のために割り当てられるリソースブロック（ＲＢ）の数を調整することのうちの少なくとも１つによって制御される、Ｃ１に記載の方法。
［Ｃ６］
前記無線フレーム期間の前記電力レベルが、ユーザ機器（ＵＥ）によって測定された、ネイバリングセルの第１の経路損失と、前記ＢＳによって測定された、前記ネイバリングセルの第２の経路損失とに少なくとも部分的に基づいて決定される、Ｃ１に記載の方法。
［Ｃ７］
ユーザ機器（ＵＥ）による、共有無線周波数スペクトル（ＳＲＦＳ）帯域上のワイヤレス通信のための方法であって、
無線フレーム期間の少なくとも一部分の間、前記ＳＲＦＳ帯域への競合に勝つことと、ここにおいて、前記無線フレーム期間が複数のサブフレーム期間を備える、
前記無線フレーム期間の第１のサブフレーム期間中に第１の送信電力で第１の信号を送信することと、
前記無線フレーム期間の第２のサブフレーム期間中に第２の送信電力で第２の信号を送信することと、ここにおいて、前記第１の送信電力および前記第２の送信電力が、前記無線フレーム期間に関して決定された電力レベルに少なくとも部分的に基づいて制御される、を備える、方法。
［Ｃ８］
前記ＳＲＦＳ帯域が無認可無線周波数スペクトル（ＵＲＦＳ）帯域を備える、Ｃ７に記載の方法。
［Ｃ９］
前記第１の送信電力および前記第２の送信電力が同じ送信電力レベルである、Ｃ７に記載の方法。
［Ｃ１０］
前記第１のサブフレーム期間中に送信される前記第１の信号がアップリンクチャネル使用ビーコン信号（ＵＬ−ＣＵＢＳ）を備える、Ｃ７に記載の方法。
［Ｃ１１］
前記第１の送信電力および前記第２の送信電力が、閉ループ電力制御を介して制御される、Ｃ１０に記載の方法。
［Ｃ１２］
前記第２の信号が物理アップリンク共有チャネル（ＰＵＳＣＨ）送信を備え、
前記ＰＵＳＣＨ送信のための前記第２の送信電力が、前記第１の送信電力に少なくとも部分的に基づく、Ｃ１１に記載の方法。
［Ｃ１３］
前記第１の送信電力および前記第２の送信電力が、開ループ制御に少なくとも部分的に基づく、Ｃ１０に記載の方法。
［Ｃ１４］
１つまたは複数のネイバリングセルの信号強度を測定することと、
前記１つまたは複数のネイバリングセルの前記測定された信号強度をサービングセルに報告することとをさらに備える、Ｃ７に記載の方法。
［Ｃ１５］
報告された測定に基づいて前記サービングセルにおいて決定されたターゲット電力レベルの指示を受信することをさらに備える、Ｃ１４に記載の方法。
［Ｃ１６］
前記１つまたは複数のネイバリングセルのうちの少なくとも１つが、前記サービングセルとは異なる事業者に関連するか、または前記サービングセルとは異なる無線アクセス技術（ＲＡＴ）に関連する、Ｃ１４に記載の方法。
［Ｃ１７］
前記１つまたは複数のネイバリングセルの前記測定された信号強度に少なくとも部分的に基づいて、前記第１の送信電力と前記第２の送信電力とを自律的に決定することをさらに備える、Ｃ１４に記載の方法。
［Ｃ１８］
前記無線フレーム期間の前記電力レベルが、前記ＵＥによって測定された、１つまたは複数のネイバリングセルの第１の経路損失と、サービング基地局によって測定された、前記１つまたは複数のネイバリングセルの第２の経路損失とに少なくとも部分的に基づいて決定される、Ｃ７に記載の方法。
［Ｃ１９］
前記第２の送信電力が、アップリンクサブフレーム期間中に送信される１つまたは複数のアップリンクチャネルに少なくとも部分的に基づく、Ｃ７に記載の方法。
［Ｃ２０］
前記第２の送信電力が、物理アップリンク共有チャネル（ＰＵＳＣＨ）のための固定送信電力、または物理アップリンク制御チャネル（ＰＵＣＣＨ）のための動的に調整可能な送信電力のうちの少なくとも１つに少なくとも部分的に基づく、Ｃ１９に記載の方法。
［Ｃ２１］
前記無線フレーム期間に関して前記電力レベルが、サービング基地局によって選択された複数の電力制御モードのうちの１つのシグナリングに少なくとも部分的に基づいて決定される、Ｃ７に記載の方法。
［Ｃ２２］
前記複数の電力制御モードのうちの前記１つが、チャネルまたは干渉状態、あるいは展開シナリオのうちの少なくとも１つに基づいて、前記サービング基地局によって選択される、Ｃ２１に記載の方法。
［Ｃ２３］
前記第２の信号が物理ランダムアクセスチャネル（ＰＲＡＣＨ）送信を備える、Ｃ７に記載の方法。
［Ｃ２４］
前記第２の送信電力が前記ＰＲＡＣＨの後続の送信中で調整可能電力制御モードを介して増加される、Ｃ２３に記載の方法。
［Ｃ２５］
前記ＰＲＡＣＨの１つまたは複数の失敗した送信試みがある場合、前記ＰＲＡＣＨの送信が前記ＰＲＡＣＨの後続の送信中で複数の送信時間間隔（ＴＴＩ）で繰り返される、Ｃ２３に記載の方法。
［Ｃ２６］
前記第１の送信電力と前記第２の送信電力とのための一貫した送信電力が、複数のコンポーネントキャリアのうちの１つまたは複数のコンポーネントキャリアの各々のために維持されるように、前記第１の送信電力および第２の送信電力が制御される、Ｃ７に記載の方法。
［Ｃ２７］
最大電力制限を決定することと、
前記最大電力制限に少なくとも部分的に基づいて、２つまたはそれ以上のコンポーネントキャリアの中の少なくとも１つのコンポーネントキャリアのための電力スケーリングを実行することによって第１の送信電力と第２の送信電力とを制御することと、ここにおいて、電力スケーリングは、スケーリングの後に、前記第１のサブフレーム期間と前記第２のサブフレーム期間とのための一貫した送信電力が前記少なくとも１つのコンポーネントキャリアのために維持されるようなものである、をさらに備える、Ｃ２６に記載の方法。
［Ｃ２８］
電力スペクトル密度（ＰＳＤ）と総電力ヘッドルームとを含む電力ヘッドルーム報告（ＰＨＲ）を送信することをさらに備える、Ｃ７に記載の方法。
［Ｃ２９］
基地局による、共有無線周波数スペクトル（ＳＲＦＳ）帯域上のワイヤレス通信のための装置であって、
無線フレーム期間の少なくとも一部分の間、前記ＳＲＦＳ帯域への競合に勝つことと、ここにおいて、前記無線フレーム期間が複数のサブフレーム期間を備える、
第１の期間中に第１の送信電力で第１の信号を送信することと、
第２の期間中に第２の送信電力で第２の信号を送信することと、ここにおいて、前記第１の送信電力および前記第２の送信電力が、前記無線フレーム期間に関して決定された電力レベルに少なくとも部分的に基づいて制御される、を行うように構成された少なくとも１つのプロセッサと、
前記少なくとも１つのプロセッサに結合されたメモリとを備える、装置。
［Ｃ３０］
ユーザ機器による、共有無線周波数スペクトル（ＳＲＦＳ）帯域上のワイヤレス通信のための装置であって、
無線フレーム期間の少なくとも一部分の間、前記ＳＲＦＳ帯域への競合に勝つことと、ここにおいて、前記無線フレーム期間が複数のサブフレーム期間を備える、
前記無線フレーム期間の第１のサブフレーム期間中に第１の送信電力で第１の信号を送信することと、
前記無線フレーム期間の第２のサブフレーム期間中に第２の送信電力で第２の信号を送信することと、ここにおいて、前記第１の送信電力および前記第２の送信電力が、前記無線フレーム期間に関して決定された電力レベルに少なくとも部分的に基づいて制御される、を行うように構成された少なくとも１つのプロセッサと、
前記少なくとも１つのプロセッサに結合されたメモリとを備える、装置。
【図１】
0006374009.tif 000008
【図２】
0006374009.tif 000009
【図３】
0006374009.tif 000010
【図４Ａ】
0006374009.tif 000011
【図４Ｂ】
0006374009.tif 000012
【図５】
0006374009.tif 000013
【図６】
0006374009.tif 000014
【図７】
0006374009.tif 000015
【図８】
0006374009.tif 000016
【図９Ａ】
0006374009.tif 000017
【図９Ｂ】
0006374009.tif 000018
【図１０Ａ】
0006374009.tif 000019
【図１０Ｂ】
0006374009.tif 000020
【図１１】
0006374009.tif 000021
【図１２】
0006374009.tif 000022
【図１３】
0006374009.tif 000023
【図１４】
0006374009.tif 000024
【図１５】
0006374009.tif 000025